(57)【要約】【課題】ＥＬ素子に流す電流がＥＬ素子の特性値によって変わることを抑えることの可能なＥＬ装置、および、ＥＬ装置の駆動方法を提供する。【解決手段】発光期間において、保持トランジスタＴ２に対するオフ状態の設定、選択トランジスタＴ３に対するオン状態の設定、データ線Ｌｄに対するハイインピーダンス状態の設定、および、ＥＬ素子ＯＥＬに対して順方向のバイアスになる発光電圧の電源線Ｌａに対する設定によって、保持容量Ｃｓの保持する電圧に応じた電流を駆動トランジスタＴ１の電流路を通じてＥＬ素子ＯＥＬに流し、測定期間において、選択トランジスタＴ３をオン状態からオフ状態に切り替えてデータ線Ｌｄの電圧を測定部１２Ｍ１に測定させ、測定期間におけるデータ線Ｌｄの電圧の基準値と、測定部１２Ｍ１の測定結果との差を小さくするように、次回の書込期間における駆動電圧を測定結果に基づいて補正する。【選択図】図１
2016021006.tif 000002
【特許請求の範囲】
【請求項１】
ＥＬ素子と、
データ線と、
電源線と、
ゲート、前記電源線に接続された第１端子、前記ＥＬ素子に接続された第２端子、および、前記第１端子と前記第２端子とを接続する電流路を備える駆動トランジスタと、
前記第１端子と前記ゲートとを接続するオン状態と、前記第１端子と前記ゲートとを切り離すオフ状態とを有する保持トランジスタと、
前記第２端子と前記データ線とを接続するオン状態と、前記第２端子と前記データ線とを切り離すオフ状態とを有する選択トランジスタと、
前記ゲートと前記第２端子とに接続された保持容量と、
前記データ線の電圧を測定する測定部と、
駆動電圧を設定する書込期間と、前記駆動電圧に応じた電流を前記ＥＬ素子に流す発光期間とを交互に繰り返して設定する間において、１つの測定期間を今回の前記発光期間と次回の前記書込期間との間に設定する設定部と、を備え、
前記設定部は、
前記書込期間において、前記保持トランジスタに対するオン状態の設定、前記選択トランジスタに対するオン状態の設定、前記データ線に対する前記駆動電圧の設定、および、前記ＥＬ素子が発光しない書込電圧の前記電源線に対する設定によって、前記書込電圧と前記駆動電圧との差に応じた電圧を前記保持容量に保持させ、
今回の前記発光期間において、前記保持トランジスタに対するオフ状態の設定、前記選択トランジスタに対するオン状態の設定、前記データ線に対するハイインピーダンス状態の設定、および、前記ＥＬ素子に対して順方向のバイアスになる発光電圧の前記電源線に対する設定によって、前記保持容量の保持する電圧に応じた電流を前記駆動トランジスタの前記電流路を通じて前記ＥＬ素子に流し、
前記測定期間において、前記選択トランジスタをオン状態からオフ状態に切り替えて前記データ線の電圧を前記測定部に測定させ、前記測定期間における前記データ線の電圧の基準値と、前記測定部の測定結果との差を小さくするように、前記次回の前記書込期間における前記駆動電圧を前記測定結果に基づいて補正する
ＥＬ装置。
【請求項２】
前記測定部の測定結果を記憶する記憶部をさらに備え、
前記設定部は、次回以降の複数の前記書込期間の各々における前記駆動電圧を、前記記憶部に記憶された前記測定結果に基づいて補正する
請求項１に記載のＥＬ装置。
【請求項３】
複数の前記データ線と、
前記駆動トランジスタ、前記保持トランジスタ、前記選択トランジスタ、前記保持容量、および、前記ＥＬ素子を含む画素であって、前記選択トランジスタごとに相互に異なる前記データ線に接続された複数の前記画素から構成される画素行と、
複数の前記画素の各々における前記保持トランジスタのゲートが並列に接続された第１選択線と、
複数の前記画素の各々における前記選択トランジスタのゲートが並列に接続された第２選択線と、をさらに備え、
前記設定部は、
前記書込期間において、前記第１選択線を通じて複数の前記保持トランジスタに対してオン状態を設定し、かつ、前記第２選択線を通じて複数の前記選択トランジスタに対してオン状態を設定し、
今回の前記発光期間において、前記第１選択線を通じて複数の前記保持トランジスタに対してオフ状態を設定し、かつ、前記第２選択線を通じて複数の前記選択トランジスタに対してオン状態を設定し、
前記測定期間において、前記第２選択線を通じて複数の前記選択トランジスタをオン状態からオフ状態に切り替えて、複数の前記データ線の各々の電圧を前記測定部に測定させる
請求項１または２に記載のＥＬ装置。
【請求項４】
複数の前記画素行を備え、
複数の前記データ線の各々は、複数の前記画素行の各々において相互に異なる前記画素に接続され、
前記設定部は、
前記書込期間、前記発光期間、および、前記測定期間を１つの前記画素行ずつ設定する
請求項３に記載のＥＬ装置。
【請求項５】
前記設定部は、
前記測定部の測定結果を１つの前記画素ずつ記憶する記憶部をさらに備え、
今回の前記発光期間に先行する前記書込期間が今回の前記書込期間であり、
前記設定部は、
今回の前記書込期間において、前記画素ごとに共通する前記駆動電圧を設定し、
次回の前記書込期間において、前記記憶部に記憶された複数の前記画素の各々の前記測定結果の平均値を前記基準値として設定する
請求項３または４に記載のＥＬ装置。
【請求項６】
前記測定部と前記データ線とを接続するオン状態と、前記測定部と前記データ線とを切り離すオフ状態とを有する測定用スイッチをさらに備え、
前記設定部は、
前記測定期間において前記測定用スイッチがオン状態であるときに前記発光電圧を前記電源線に設定し続ける
請求項１から５のいずれか１つに記載のＥＬ装置。
【請求項７】
ＥＬ素子と、
データ線と、
電源線と、
ゲート、前記電源線に接続された第１端子、前記ＥＬ素子に接続された第２端子、および、前記第１端子と前記第２端子とを接続する電流路を備える駆動トランジスタと、
前記第１端子と前記ゲートとを接続するオン状態と、前記第１端子と前記ゲートとを切り離すオフ状態とを有する保持トランジスタと、
前記第２端子と前記データ線とを接続するオン状態と、前記第２端子と前記データ線とを切り離すオフ状態とを有する選択トランジスタと、
前記ゲートと前記第２端子とに接続された保持容量と、
前記データ線の電圧を測定する測定部と、
を備えるＥＬ装置の駆動方法であって、
駆動電圧を設定する書込期間と、前記駆動電圧に応じた電流を前記ＥＬ素子に流す発光期間とを交互に繰り返して設定する間において、１つの測定期間を今回の前記発光期間と次回の前記書込期間との間に設定し、
前記書込期間において、前記保持トランジスタに対するオン状態の設定、前記選択トランジスタに対するオン状態の設定、前記データ線に対する前記駆動電圧の設定、および、前記ＥＬ素子が発光しない書込電圧の前記電源線に対する設定によって、前記書込電圧と前記駆動電圧との差に応じた電圧を前記保持容量に保持させ、
今回の前記発光期間において、前記保持トランジスタに対するオフ状態の設定、前記選択トランジスタに対するオン状態の設定、前記データ線に対するハイインピーダンス状態の設定、および、前記ＥＬ素子に対して順方向のバイアスになる発光電圧の前記電源線に対する設定によって、前記保持容量の保持する電圧に応じた電流を前記駆動トランジスタの前記電流路を通じて前記ＥＬ素子に流し、
前記測定期間において、前記選択トランジスタをオン状態からオフ状態に切り替えて前記データ線の電圧を前記測定部に測定させ、前記測定期間における前記データ線の電圧の基準値と、前記測定部の測定結果との差を小さくするように、前記次回の前記書込期間における前記駆動電圧を前記測定結果に基づいて補正する
ＥＬ装置の駆動方法。
【発明の詳細な説明】
【技術分野】
【０００１】
本発明は、ＥＬ素子を駆動する駆動電圧を補正するＥＬ装置、および、ＥＬ装置の駆動方法に関する。
【背景技術】
【０００２】
エレクトロルミネッセンス（Electro Luminescence :EL ）装置の一例であるＥＬ表示装置は、マトリクス状に配置された複数のＥＬ素子と、ＥＬ素子ごとの複数の薄膜トランジスタとを備えて、走査線の走査によってＥＬ素子を線順次駆動する。例えば、特許文献１に記載されるＥＬ表示装置は、走査線の走査によって選択トランジスタをオン状態に切り替えて、表示データに応じた駆動電圧を駆動トランジスタのゲート‐ソース間に印加する。そして、ＥＬ表示装置は、駆動トランジスタのゲート‐ソース間電圧に基づくドレイン電流をＥＬ素子に流して、ＥＬ素子における輝度の階調値をＥＬ素子ごとに制御する。
【０００３】
一方で、駆動トランジスタの有するしきい値電圧は、駆動トランジスタの駆動した累積の時間などによって上昇するため、駆動トランジスタにおけるゲート‐ソース間電圧の設定値が同じであっても、駆動トランジスタに流れるドレイン電流は経時的に低下する。そこで、特許文献２に記載されるＥＬ装置は、駆動トランジスタのゲート‐ソース間に印加する駆動電圧の補正を目的として、駆動トランジスタのしきい値を取得している。
【先行技術文献】
【特許文献】
【０００４】
【特許文献１】特開２００３−１９５８１０号公報
【特許文献２】特開２０１０−１２８３９７号公報
【発明の概要】
【発明が解決しようとする課題】
【０００５】
ところで、上述したしきい値電圧の取得に際しては、ＥＬ素子の接続される端子である駆動トランジスタのソースと、その駆動トランジスタのゲートとの間に、まず、しきい値電圧を越える電圧が印加される。次いで、駆動トランジスタのソースがハイインピーダンス状態に設定されてから、駆動トランジスタにほぼ電流が流れなくなるときのゲート‐ソース間の電圧が測定される。
【０００６】
一方で、こうした特性値の取得の期間においては、駆動トランジスタに流れる電流がＥＬ素子に流れないように、ＥＬ素子に対しては逆方向のバイアスとなるゲート‐ソース間の電圧が設定される。それゆえに、駆動トランジスタのしきい値電圧は得られるが、こうしたしきい値電圧とは、結局のところ、ＥＬ素子が有する抵抗や誘電率などのＥＬ素子の特性値までを反映するものではない。そして、ＥＬ素子が有する複数の層の各々における膜質のばらつきなどに起因したＥＬ素子の特性値のばらつきは、ＥＬ素子に流す電流の大きさにばらつきを生じるため、上述したしきい値電圧に基づいて駆動電圧は補正されるとしても、依然としてＥＬ素子の発光色や輝度にばらつきは生じてしまう。
【０００７】
本発明は、ＥＬ素子に流す電流がＥＬ素子の特性値によって変わることを抑えることの可能なＥＬ装置、および、ＥＬ装置の駆動方法を提供することを目的とする。
【課題を解決するための手段】
【０００８】
上記課題を解決するＥＬ装置は、ＥＬ素子と、データ線と、電源線とを備え、さらに、ゲート、前記電源線に接続された第１端子、前記ＥＬ素子に接続された第２端子、および、前記第１端子と前記第２端子とを接続する電流路を備える駆動トランジスタと、前記第１端子と前記ゲートとを接続するオン状態と、前記第１端子と前記ゲートとを切り離すオフ状態とを有する保持トランジスタと、前記第２端子と前記データ線とを接続するオン状態と、前記第２端子と前記データ線とを切り離すオフ状態とを有する選択トランジスタと、前記ゲートと前記第２端子とに接続された保持容量と、前記データ線の電圧を測定する測定部と、駆動電圧を設定する書込期間と、前記駆動電圧に応じた電流を前記ＥＬ素子に流す発光期間とを交互に繰り返して設定する間において、１つの測定期間を今回の前記発光期間と次回の前記書込期間との間に設定する設定部と、を備える。そして、前記設定部は、前記書込期間において、前記保持トランジスタに対するオン状態の設定、前記選択トランジスタに対するオン状態の設定、前記データ線に対する前記駆動電圧の設定、および、前記ＥＬ素子が発光しない書込電圧の前記電源線に対する設定によって、前記書込電圧と前記駆動電圧との差に応じた電圧を前記保持容量に保持させ、今回の前記発光期間において、前記保持トランジスタに対するオフ状態の設定、前記選択トランジスタに対するオン状態の設定、前記データ線に対するハイインピーダンス状態の設定、および、前記ＥＬ素子に対して順方向のバイアスになる発光電圧の前記電源線に対する設定によって、前記保持容量の保持する電圧に応じた電流を前記駆動トランジスタの前記電流路を通じて前記ＥＬ素子に流し、前記測定期間において、前記選択トランジスタをオン状態からオフ状態に切り替えて前記データ線の電圧を前記測定部に測定させ、前記測定期間における前記データ線の電圧の基準値と、前記測定部の測定結果との差を小さくするように、前記次回の前記書込期間における前記駆動電圧を前記測定結果に基づいて補正する。
【０００９】
上記課題を解決するＥＬ装置の駆動方法は、ＥＬ素子と、データ線と、電源線とを備え、さらに、ゲート、前記電源線に接続された第１端子、前記ＥＬ素子に接続された第２端子、および、前記第１端子と前記第２端子とを接続する電流路を備える駆動トランジスタと、前記第１端子と前記ゲートとを接続するオン状態と、前記第１端子と前記ゲートとを切り離すオフ状態とを有する保持トランジスタと、前記第２端子と前記データ線とを接続するオン状態と、前記第２端子と前記データ線とを切り離すオフ状態とを有する選択トランジスタと、前記ゲートと前記第２端子とに接続された保持容量と、前記データ線の電圧を測定する測定部と、を備えるＥＬ装置の駆動方法である。そして、駆動電圧を設定する書込期間と、前記駆動電圧に応じた電流を前記ＥＬ素子に流す発光期間とを交互に繰り返して設定する間に、１つの測定期間を今回の前記発光期間と次回の前記書込期間との間に設定し、前記書込期間において、前記保持トランジスタに対するオン状態の設定、前記選択トランジスタに対するオン状態の設定、前記データ線に対する前記駆動電圧の設定、および、前記ＥＬ素子が発光しない書込電圧の前記電源線に対する設定によって、前記書込電圧と前記駆動電圧との差に応じた電圧を前記保持容量に保持させ、今回の前記発光期間において、前記保持トランジスタに対するオフ状態の設定、前記選択トランジスタに対するオン状態の設定、前記データ線に対するハイインピーダンス状態の設定、および、前記ＥＬ素子に対して順方向のバイアスになる発光電圧の前記電源線に対する設定によって、前記保持容量の保持する電圧に応じた電流を前記駆動トランジスタの前記電流路を通じて前記ＥＬ素子に流し、前記測定期間において、前記選択トランジスタをオン状態からオフ状態に切り替えて前記データ線の電圧を前記測定部に測定させ、前記測定期間における前記データ線の電圧の基準値と、前記測定部の測定結果との差を小さくするように、前記次回の前記書込期間における前記駆動電圧を前記測定結果に基づいて補正する。
【００１０】
上記ＥＬ装置、および、上記ＥＬ装置の駆動方法によれば、今回の発光期間においては、ハイインピーダンス状態に設定されたデータ線が駆動トランジスタの第２端子と導通し、第２端子の電圧に応じた電圧がデータ線に設定される。そして、測定期間においては、選択トランジスタがオン状態からオフ状態に切り替わり、データ線と第２端子とが電気的に切り離されて第２端子の電圧に応じた電圧がデータ線を通じて測定される。ここで、ＥＬ素子に電流が流れるときの駆動トランジスタにおける第２端子の電圧は、ＥＬ素子の有する抵抗や誘電率などのＥＬ素子の特性値によって変わる値であるから、こうした第２端子の電圧が基準値に近づくような駆動電圧の補正によれば、ＥＬ素子に流す電流がＥＬ素子の特性値によって変わることを補正できる。
【００１１】
上記ＥＬ装置は、前記測定部の測定結果を記憶する記憶部をさらに備え、前記設定部は、次回以降の複数の前記書込期間の各々における前記駆動電圧を、前記記憶部に記憶された前記測定結果に基づいて補正することが好ましい。
【００１２】
上記ＥＬ装置によれば、１つの測定期間によって得られた測定結果が、その測定期間以降の複数の書込期間の各々における駆動電圧の補正に用いられるため、測定期間の設定される回数が増えることを抑えることが可能でもある。
【００１３】
上記ＥＬ装置は、複数の前記データ線を備え、さらに、前記駆動トランジスタ、前記保持トランジスタ、前記選択トランジスタ、前記保持容量、および、前記ＥＬ素子を含む画素であって、前記選択トランジスタごとに相互に異なる前記データ線に接続された複数の前記画素から構成される画素行と、複数の前記画素の各々における前記保持トランジスタのゲートが並列に接続された第１選択線と、複数の前記画素の各々における前記選択トランジスタのゲートが並列に接続された第２選択線と、を備えてもよい。この際に、前記設定部は、前記書込期間において、前記第１選択線を通じて複数の前記保持トランジスタに対してオン状態を設定し、かつ、前記第２選択線を通じて複数の前記選択トランジスタに対してオン状態を設定し、今回の前記発光期間において、前記第１選択線を通じて複数の前記保持トランジスタに対してオフ状態を設定し、かつ、前記第２選択線を通じて複数の前記選択トランジスタに対してオン状態を設定し、前記測定期間において、前記第２選択線を通じて複数の前記選択トランジスタをオン状態からオフ状態に切り替えて、複数の前記データ線の各々の電圧を前記測定部に測定させることが好ましい。
【００１４】
上記ＥＬ装置によれば、複数の画素の各々の有するＥＬ素子に対して、そのＥＬ素子の特性値に関する情報を得るための設定が、第１選択線、および、第２選択線を通じて一度に行われる。それゆえに、ＥＬ素子の特性値に関する情報を得るための設定に要する時間を短くすることが可能でもある。
【００１５】
上記ＥＬ装置は、複数の前記画素行を備え、複数の前記データ線の各々は、複数の前記画素行の各々において相互に異なる前記画素に接続され、前記設定部は、前記書込期間、前記発光期間、および、前記測定期間を１つの前記画素行ずつ設定することが好ましい。
【００１６】
上記ＥＬ装置によれば、ＥＬ素子の特性値に関する情報の取得に際し、複数の画素行の各々に対しては、共通するデータ線が用いられる。結果として、複数の画素の各々における上述した情報の取得に際して、それに要する構成の簡素化が図られる。
【００１７】
上記ＥＬ装置において、前記設定部は、前記測定部の測定結果を１つの前記画素ずつ記憶する記憶部をさらに備え、今回の前記発光期間に先行する前記書込期間が今回の前記書込期間であり、前記設定部は、今回の前記書込期間において、前記画素ごとに共通する前記駆動電圧を設定し、次回の前記書込期間において、前記記憶部に記憶された複数の前記画素の各々の前記測定結果の平均値を前記基準値として設定することが好ましい。
上記ＥＬ装置によれば、複数のＥＬ素子の各々の発光から構成される画像において、ＥＬ素子の特性値のばらつきに起因した画質の低下が抑えられる。
【００１８】
上記ＥＬ装置は、前記測定部と前記データ線とを接続するオン状態と、前記測定部と前記データ線とを切り離すオフ状態とを有する測定用スイッチをさらに備え、前記設定部は、前記測定期間において前記測定用スイッチがオン状態であるときに前記発光電圧を前記電源線に設定し続けることが好ましい。
【００１９】
上記ＥＬ装置によれば、発光期間のみならず、データ線の電圧を測定部が取得する期間においても、駆動トランジスタの駆動を通じてＥＬ素子に電流が流れる。それゆえに、ＥＬ素子の発光を測定期間の少なくとも一部において継続させることが可能でもある。
【発明の効果】
【００２０】
本発明によれば、ＥＬ素子に流す電流がＥＬ素子の特性値によって変わることが抑えられる。
【図面の簡単な説明】
【００２１】
【図１】第１実施形態におけるＥＬ装置の構成を示すブロック図である。
【図２】第１実施形態においてＥＬ素子を駆動する回路を示す回路図であって、書込期間に設定される各ノードの電圧レベルと共に示す図である。
【図３】第１実施形態においてＥＬ素子を駆動する回路を示す回路図であって、発光期間に設定される各ノードの電圧レベルと共に示す図である。
【図４】第１実施形態においてＥＬ素子を駆動する回路を示す回路図であって、測定期間に設定される各ノードの電圧レベルと共に示す図である。
【図５】第１実施形態において書込期間、発光期間、および、測定期間における制御信号の電圧レベルの推移を示すタイミングチャートである。
【図６】第２実施形態におけるＥＬ装置の構成を示すブロック図である。
【図７】第２実施形態におけるデータドライバの構成を示すブロック図である。
【図８】第２実施形態の前回の書込期間においてＥＬパネルに入力される各制御信号の電圧レベルの推移を示すタイミングチャートである。
【図９】第２実施形態の今回の書込期間においてＥＬパネルに入力される各制御信号の電圧レベルの推移を示すタイミングチャートである。
【図１０】第２実施形態の書込期間、発光期間、および、測定期間においてＥＬパネルに入力される各制御信号の電圧レベルの推移を示すタイミングチャートである。
【図１１】変形例におけるＥＬ装置の構成を示すブロック図である。
【図１２】変形例において書込期間、保持期間、および、発光期間の設定される流れを示すタイムチャートである。
【発明を実施するための形態】
【００２２】
［第１実施形態］
図１から図５を参照してＥＬ装置、および、ＥＬ装置の駆動方法の第１実施形態を説明する。
【００２３】
［ＥＬ装置１０の構成］
図１を参照してＥＬ装置の構成について説明する。
図１が示すように、ＥＬ装置１０は、ＥＬ素子ＯＥＬを備えるＥＬパネル１１と、ＥＬパネル１１の駆動の態様を制御する制御部１２と、ＥＬパネル１１を駆動する駆動部１３とを備えている。ＥＬパネル１１は、ＥＬ素子ＯＥＬと、ＥＬ素子ＯＥＬを駆動する回路とを備えている。
【００２４】
［ＥＬパネル１１］
ＥＬ素子ＯＥＬを駆動する回路は、薄膜トランジスタの一例である３つのｎチャンネル型トランジスタと１つの保持容量Ｃｓとを備えている。３つのｎチャンネル型トランジスタは、例えば、半導体膜がアモルファスシリコン膜である薄膜トランジスタでもよいし、半導体膜がポリシリコン膜である薄膜トランジスタであってもよい。
【００２５】
駆動トランジスタＴ１のゲートは、ノードＮ１に電気的接続されている。駆動トランジスタＴ１の第２端子であるソースは、ノードＮ２を通じてＥＬ素子ＯＥＬのアノードに電気的接続され、駆動トランジスタＴ１の第１端子であるドレインは、ノードＮ３を通じて電源線Ｌａに電気的接続されている。駆動トランジスタＴ１は、飽和領域において電流を制御することの可能なトランジスタであって、駆動トランジスタＴ１のゲート‐ソース間電圧Ｖｇｓに基づく電流をソース‐ドレイン間に流す機能を有している。駆動トランジスタＴ１は、こうしたドレイン‐ソース間電流ＩｄｓをＥＬ素子ＯＥＬに流す機能を有している。
【００２６】
ＥＬ素子ＯＥＬのアノードは、ノードＮ２に電気的接続されて、ＥＬ素子ＯＥＬのカソードの電位には、基準電圧ＥＬＶＳＳが設定されている。ＥＬ素子ＯＥＬが有する抵抗や誘電率など、ＥＬ素子ＯＥＬにおいて発光に寄与する特性値は、ＥＬ素子ＯＥＬが有する複数の層の各々における膜質によって変わる。
【００２７】
保持容量Ｃｓの有する２つの電極のなかで第１電極は、ノードＮ１に電気的接続され、保持容量Ｃｓの有する２つの電極のなかで第２電極は、ノードＮ２に電気的接続されている。保持容量Ｃｓは、駆動トランジスタＴ１のゲートと、駆動トランジスタＴ１のソースとの間に形成される寄生容量であってもよいし、ノードＮ１とノードＮ２との間に別途備えられる容量素子であってもよいし、これらの組み合わせであってもよい。保持容量Ｃｓは、駆動トランジスタＴ１のゲート‐ソース間電圧Ｖｇｓを保持する機能を有している。
【００２８】
保持トランジスタＴ２のゲートは、ノードＮ４を通じて第１選択線Ｌｓ１に電気的接続されている。保持トランジスタＴ２のドレインは、ノードＮ３を通じて電源線Ｌａに電気的接続されて、保持トランジスタＴ２のソースは、ノードＮ１に電気的接続されている。保持トランジスタＴ２は、駆動トランジスタＴ１のドレインと、駆動トランジスタＴ１のゲートとの導通を第１選択線Ｌｓ１の電圧レベルに基づいて制御する。
【００２９】
例えば、第１選択線Ｌｓ１に入力された第１選択信号Ｖｓｅｌ１の電圧レベルが、論理的にハイレベルＨ１であるとき、保持トランジスタＴ２は、駆動トランジスタＴ１のドレインと、駆動トランジスタＴ１のゲートとを導通させて、駆動トランジスタＴ１をダイオード接続させる。これに対して、第１選択線Ｌｓ１に入力された第１選択信号Ｖｓｅｌ１の電圧レベルが、論理的にローレベルＬ１であるとき、保持トランジスタＴ２は、駆動トランジスタＴ１のドレインと、駆動トランジスタＴ１のゲートとを電気的に切り離して、駆動トランジスタＴ１にダイオード接続を解除させる。
【００３０】
選択トランジスタＴ３のゲートは、ノードＮ５を通じて第２選択線Ｌｓ２に電気的接続されている。選択トランジスタＴ３のソースは、データ線Ｌｄに電気的接続され、選択トランジスタＴ３のドレインは、ノードＮ２に電気的接続されている。選択トランジスタＴ３は、駆動トランジスタＴ１のソースとデータ線Ｌｄとの導通を第２選択線Ｌｓ２の電圧レベルに基づいて制御する。
【００３１】
例えば、第２選択線Ｌｓ２に入力された第２選択信号Ｖｓｅｌ２の電圧レベルが、論理的にハイレベルＨ２であるとき、選択トランジスタＴ３は、駆動トランジスタＴ１のソースとデータ線Ｌｄとを導通させて、データ線Ｌｄに入力された駆動電圧ＶＤに応じた電圧を保持容量Ｃｓに保持させる。これに対して、第２選択線Ｌｓ２に入力された第２選択信号Ｖｓｅｌ２の電圧レベルが、論理的にローレベルＬ２であるとき、選択トランジスタＴ３は、駆動トランジスタＴ１のソースとデータ線Ｌｄとを電気的に切り離す。
【００３２】
データ線Ｌｄには、書込スイッチＳｗｄと測定用スイッチＳｗｍとが並列に接続されている。駆動部１３は、駆動電圧ＶＤを出力する出力端子を備え、書込スイッチＳｗｄは、駆動部１３の出力端子とデータ線Ｌｄとを電気的接続するオン状態と、駆動部１３の出力端子とデータ線Ｌｄとを電気的に切り離すオフ状態とを有する。制御部１２は、データ線Ｌｄの電圧である測定対象Ｖｏｕｔを測定する測定処理部１２Ｍを備え、測定用スイッチＳｗｍは、測定処理部１２Ｍの入力端子とデータ線Ｌｄとを電気的接続するオン状態と、測定処理部１２Ｍの入力端子とデータ線Ｌｄとを電気的に切り離すオフ状態とを有する。
【００３３】
ＥＬパネル１１は、駆動トランジスタＴ１、保持トランジスタＴ２、選択トランジスタＴ３、保持容量Ｃｓ、および、ＥＬ素子ＯＥＬを１つの画素として備えてもよい。すなわち、ＥＬパネル１１は、１つのＥＬ素子ＯＥＬとそのＥＬ素子ＯＥＬを駆動するための１つの回路とを備える構成であってもよいし、複数の画素を備える構成であってもよい。
【００３４】
なお、１つの第１選択線Ｌｓ１に複数の画素が並列に接続され、かつ、複数の画素の各々が１つの第２選択線Ｌｓ２に並列に接続されるとき、データ線Ｌｄは１つの画素に対して１本ずつ備えられ、書込スイッチＳｗｄと測定用スイッチＳｗｍの各々は、１つのデータ線Ｌｄに対して１つずつ備えられる。また、１つのデータ線Ｌｄに複数の画素が並列に接続されるとき、第１選択線Ｌｓ１と第２選択線Ｌｓ２の各々は、１つの画素に対して１本ずつ備えられる。
【００３５】
［制御部１２］
制御部１２は、入力信号ＳＩＧと測定対象Ｖｏｕｔとの入力される入力インターフェースを備えている。制御部１２は、タイミング制御信号ＳＴＣＯＮと制御階調値Ｄｉｎとを出力する出力インターフェースを備えている。また、制御部１２は、データ変換部１２Ａと、測定処理部１２Ｍと、階調補正部１２Ｃとを備えている。
【００３６】
駆動部１３は、制御階調値Ｄｉｎと制御信号ＳＣＯＮの入力される入力インターフェースを備えている。駆動部１３は、電源線Ｌａに入力される電源信号Ｖａ、第１選択信号Ｖｓｅｌ１、第２選択信号Ｖｓｅｌ２、駆動電圧ＶＤ、および、書込スイッチＳｗｄや測定用スイッチＳｗｍの状態を制御する各種の制御信号ＳＣＯＮを出力する出力インターフェースを備えている。
【００３７】
入力信号ＳＩＧは、ＥＬ素子ＯＥＬを発光させるために外部からＥＬ装置１０に入力される。入力信号ＳＩＧは、ＥＬ素子ＯＥＬの輝度の階調値を示す階調成分を含み、ＥＬ素子ＯＥＬの発光するタイミングを示すクロック成分をさらに含む信号であってもよい。入力信号ＳＩＧに含まれる階調成分は、例えば、ＥＬ素子ＯＥＬの輝度の階調値のみを示す信号であってもよい。
【００３８】
データ変換部１２Ａは、入力信号ＳＩＧに含まれる階調成分からＥＬ素子ＯＥＬの基準階調値Ｄｂを生成する。データ変換部１２Ａは、例えば、ＥＬ素子ＯＥＬの特性に基づいて定められたルックアップテーブル（ＬＵＴ）であって、階調成分をデジタル値に変換するためのＬＵＴを参照して基準階調値Ｄｂを生成する。
【００３９】
データ変換部１２Ａは、タイミングコントローラとしての機能を有し、ＥＬ素子ＯＥＬの発光するタイミングを定めたタイミング制御信号ＳＴＣＯＮを生成する。データ変換部１２Ａは、例えば、入力信号ＳＩＧがクロック成分を含むとき、入力信号ＳＩＧからタイミング成分を抽出してタイミング制御信号ＳＴＣＯＮを生成する。
【００４０】
タイミング制御信号ＳＴＣＯＮは、ＥＬパネル１１の状態を遷移させるタイミングを制御するための信号であって、第１選択信号Ｖｓｅｌ１の電圧レベルの設定、第２選択信号Ｖｓｅｌ２の電圧レベルの設定、電源信号Ｖａの電圧レベルの設定、および、駆動電圧ＶＤの設定の各々のタイミングを制御するための信号である。駆動部１３は、制御部１２から入力されるタイミング制御信号ＳＴＣＯＮに基づいて、第１選択信号Ｖｓｅｌ１の電圧レベル、第２選択信号Ｖｓｅｌ２の電圧レベル、電源信号Ｖａの電圧レベル、および、駆動電圧ＶＤの各々を設定する。
【００４１】
例えば、タイミング制御信号ＳＴＣＯＮが、保持トランジスタＴ２のオン状態、および、選択トランジスタＴ３のオン状態を示すとき、駆動部１３は、ハイレベルＨ１を第１選択線Ｌｓ１に設定し、かつ、ハイレベルＨ２を第２選択線Ｌｓ２に設定する。また、タイミング制御信号ＳＴＣＯＮが、保持トランジスタＴ２のオフ状態、および、選択トランジスタＴ３のオフ状態を示すとき、駆動部１３は、ローレベルＬ１を第１選択線Ｌｓ１に設定し、かつ、ローレベルＬ２を第２選択線Ｌｓ２に設定する。
【００４２】
例えば、タイミング制御信号ＳＴＣＯＮが、保持容量Ｃｓに電圧を書き込むタイミングを示すとき、駆動部１３は、基準電圧ＥＬＶＳＳとほぼ等しい書込電圧ＷＤＶＳＳを電源線Ｌａに設定する。また、制御信号ＳＣＯＮが、ＥＬ素子ＯＥＬに電流を流すタイミングを示すとき、駆動部１３は、基準電圧ＥＬＶＳＳよりも高い電圧レベルである発光電圧ＥＬＶＤＤを電源線Ｌａに設定する。
【００４３】
測定処理部１２Ｍは、データ線Ｌｄの電圧を測定する測定部１２Ｍ１を備えている。測定対象Ｖｏｕｔは、ＥＬ素子ＯＥＬのアノード電圧をデータ線Ｌｄの電圧として示すアナログ値であって、ＥＬ素子ＯＥＬに電流が流れるときのアノード電圧を示す。測定対象Ｖｏｕｔは、ＥＬ素子ＯＥＬの特性値に関する情報を示し、測定部１２Ｍ１は、こうした測定対象Ｖｏｕｔを測定してデジタル値に変換する。測定部１２Ｍ１は、例えば、測定対象Ｖｏｕｔをデジタル値に変換するアナログデジタル変換器から構成される。データ線Ｌｄに接続する測定用スイッチＳｗｍが、オフ状態からオン状態に切り替るごとに、データ線Ｌｄの電圧である測定対象Ｖｏｕｔを測定部１２Ｍ１は取得する。
【００４４】
例えば、ＥＬパネル１１が１つのデータ線Ｌｄを備えるとき、１つのデータ線Ｌｄに接続する測定用スイッチＳｗｍが、オフ状態からオン状態に切り替るごとに、データ線Ｌｄの電圧である測定対象Ｖｏｕｔを測定部１２Ｍ１は測定する。また、ＥＬパネル１１が複数のデータ線Ｌｄを備えるとき、複数のデータ線Ｌｄの各々における電圧を測定部１２Ｍ１は測定する。そして、複数の測定用スイッチＳｗｍの各々が、オフ状態からオン状態に切り替るごとに、その測定用スイッチＳｗｍに接続されたデータ線Ｌｄの電圧を測定部１２Ｍ１は測定する。
【００４５】
測定処理部１２Ｍは、測定対象Ｖｏｕｔの測定結果を記憶する測定結果記憶部１２Ｍ２を備えている。測定結果記憶部１２Ｍ２は、測定対象Ｖｏｕｔの測定結果をＥＬ素子ＯＥＬに対応づけて１つの記憶領域に１つずつ記憶する。また、測定結果記憶部１２Ｍ２は、測定対象Ｖｏｕｔの測定結果が更新されるごとに最新の測定結果を記憶する。
【００４６】
例えば、ＥＬパネル１１が１つのＥＬ素子ＯＥＬを備えるとき、測定結果記憶部１２Ｍ２は、測定対象Ｖｏｕｔの測定結果を記憶するための１つの記憶領域を備えている。そして、データ線Ｌｄの電圧が測定されるごとに、測定結果記憶部１２Ｍ２は、記憶領域に記憶される測定結果を最新の測定結果に更新する。また、ＥＬパネル１１が複数のＥＬ素子ＯＥＬを備えるとき、測定結果記憶部１２Ｍ２は、測定対象Ｖｏｕｔの測定結果を記憶するための記憶領域を１つのＥＬ素子ＯＥＬに対して１つずつ備えている。そして、データ線Ｌｄの電圧が測定されるごとに、測定結果記憶部１２Ｍ２は、そのデータ線Ｌｄと導通したＥＬ素子ＯＥＬに対応付けられる記憶領域において、測定対象Ｖｏｕｔに記憶される測定結果を最新の測定結果に更新する。
【００４７】
測定処理部１２Ｍは、測定対象Ｖｏｕｔの基準値を設定する基準値設定部１２Ｍ３を備えている。測定対象Ｖｏｕｔの基準値は、基準階調値Ｄｂを補正するための階調補正値ΔＶｅｌを、測定対象Ｖｏｕｔの測定結果から得るための値であり、基準値設定部１２Ｍ３は、測定対象Ｖｏｕｔの基準値と測定対象Ｖｏｕｔの測定結果とから階調補正値ΔＶｅｌを算出する。測定対象Ｖｏｕｔの基準値は、測定期間に先駆けて予め設定された値であってもよいし、測定対象Ｖｏｕｔの測定結果から算出される値であってもよい。
【００４８】
例えば、測定対象Ｖｏｕｔを測定する測定期間に向けた駆動電圧ＶＤが、所定の測定用駆動電圧ＶＭとして設定され、この測定用駆動電圧ＶＭがデータ線Ｌｄに設定されることによって得られるべきアノード電圧が、測定対象Ｖｏｕｔの基準値として設定される。そして、基準値設定部１２Ｍ３は、こうした測定対象Ｖｏｕｔの基準値と、測定対象Ｖｏｕｔの測定結果との差に相当する輝度の階調値を、階調補正値ΔＶｅｌとして算出する。なお、この際に、複数のＥＬ素子ＯＥＬの各々に対応する測定結果が、測定結果記憶部１２Ｍ２において別々に記憶されている構成であれば、基準値設定部１２Ｍ３は、上述した階調補正値ΔＶｅｌを複数のＥＬ素子ＯＥＬの各々に対して算出する。
【００４９】
また、例えば、基準値設定部１２Ｍ３は、複数のＥＬ素子ＯＥＬの各々に対応付けられた測定結果から、これらの代表値を算出し、その算出結果である代表値を測定対象Ｖｏｕｔの基準値として設定する。そして、基準値設定部１２Ｍ３は、こうした測定対象Ｖｏｕｔの基準値と、測定対象Ｖｏｕｔの測定結果との差に相当する輝度の階調値を、階調補正値ΔＶｅｌとして算出する。複数の測定結果における代表値は、例えば、複数の測定結果の平均値であってもよいし、中央値であってもよいし、最頻値であってもよいし、最大値や最小値であってもよい。なお、この際に、基準値設定部１２Ｍ３は、上述した階調補正値ΔＶｅｌを複数のＥＬ素子ＯＥＬの各々に対して算出する。
【００５０】
測定処理部１２Ｍは、制御階調値Ｄｉｎを算出する階調補正部１２Ｃを備えている。階調補正部１２Ｃは、データ変換部１２Ａから入力される基準階調値Ｄｂに、基準値設定部１２Ｍ３から入力される階調補正値ΔＶｅｌを加算して、デジタル値である制御階調値Ｄｉｎを算出する。制御階調値Ｄｉｎは、駆動トランジスタＴ１のゲート‐ソース間電圧Ｖｇｓを基準階調値Ｄｂに基づいて制御するためのデジタル値であって、ＥＬ素子ＯＥＬの特性値が加味された制御値である。駆動部１３は、制御階調値Ｄｉｎをアナログ値である駆動電圧ＶＤに変換するデジタルアナログ変換器を備えている。駆動部１３は、制御階調値Ｄｉｎを駆動電圧ＶＤに変換して、駆動電圧ＶＤをデータ線Ｌｄに設定する。
【００５１】
例えば、制御部１２からの制御階調値Ｄｉｎが最高階調値であるとき、駆動部１３は、最高階調値に相当する駆動電圧ＶＤをデータ線Ｌｄに設定する。また、制御部１２からの制御階調値Ｄｉｎが最低階調値であるとき、駆動部１３は、最低階調値に相当する駆動電圧ＶＤをデータ線Ｌｄに設定する。
【００５２】
［書込期間］
図２を参照してＥＬパネル１１に設定される書込期間を説明する。なお、ＥＬパネル１１の有する期間のなかで書込期間とは、駆動電圧ＶＤがデータ線Ｌｄに設定されて、駆動電圧ＶＤに応じた電圧が保持容量Ｃｓに書き込まれる期間である。駆動電圧ＶＤは、上述した制御階調値Ｄｉｎから生成されるアナログ値、および、上述した測定用駆動電圧ＶＭを含む。制御階調値Ｄｉｎから生成される駆動電圧ＶＤは、階調駆動電圧Ｖｄａｔａであって、例えば、０Ｖから−１２Ｖの範囲の電圧である。
【００５３】
図２が示すように、ＥＬパネル１１に設定される書込期間において、制御部１２は、駆動部１３の駆動を制御して、測定用スイッチＳｗｍをオフ状態に設定し、かつ、書込スイッチＳｗｄをオン状態に設定する。
【００５４】
駆動部１３は、第１選択信号Ｖｓｅｌ１にハイレベルＨ１を設定し、かつ、第２選択信号Ｖｓｅｌ２にハイレベルＨ２を設定する。例えば、駆動部１３は、第１選択信号Ｖｓｅｌ１にハイレベルＨ１の一例である１５Ｖを設定し、かつ、第２選択信号Ｖｓｅｌ２にハイレベルＨ１の一例である１５Ｖを設定する。これによって、保持トランジスタＴ２、および、選択トランジスタＴ３の各々はオン状態に設定される。そして、駆動トランジスタＴ１のゲートと、駆動トランジスタＴ１のドレインとが、保持トランジスタＴ２の電流路を通じてダイオード接続される。また、駆動トランジスタＴ１のソースとデータ線Ｌｄとが、選択トランジスタＴ３の電流路を通じて電気的接続される。
【００５５】
駆動部１３は、ＥＬ素子ＯＥＬには電流が流れず、かつ、駆動トランジスタＴ１の電流路には電流が流れるように、電源信号Ｖａに書込電圧ＷＤＶＳＳを設定し、かつ、データ線Ｌｄに駆動電圧ＶＤを設定する。例えば、駆動部１３は、書込電圧ＷＤＶＳＳの一例であって、基準電圧ＥＬＶＳＳと等しい４Ｖを電源信号Ｖａに設定する。また、駆動部１３は、ＥＬ素子ＯＥＬに対しては逆方向のバイアスとなるように、基準電圧ＥＬＶＳＳよりも低い０Ｖを駆動電圧ＶＤとして設定する。これによって、駆動トランジスタＴ１のソースの電圧レベル、すなわち、ノードＮ２の電圧レベルが０Ｖに設定され、駆動トランジスタＴ１のゲートの電圧レベルが、駆動トランジスタＴ１のドレインの電圧レベルと等しく設定される。そして、駆動トランジスタＴ１のゲート‐ソース間電圧Ｖｇｓとして、書込電圧ＷＤＶＳＳと駆動電圧ＶＤとの差に応じた電圧である４Ｖが保持容量Ｃｓに書き込まれる。
【００５６】
なお、この際に、書込電圧ＷＤＶＳＳと基準電圧ＥＬＶＳＳとは、相互に等しい極性であって、かつ、絶対値が相互に等しいことが好ましい。また、第１選択信号Ｖｓｅｌ１に設定されるハイレベルＨ１と、第２選択信号Ｖｓｅｌ２に設定されるハイレベルＨ２とは、相互に等しい極性であって、かつ、絶対値が相互に等しいことが好ましい。こうした構成であれば、ハイレベルＨ１とハイレベルＨ２とを生成するための電源回路の共通化などのように、回路構成の簡素化が駆動部１３において図られる。また、階調駆動電圧Ｖｄａｔａは、例えば、０Ｖから−１２Ｖの範囲のなかのいずれかの電圧であり、測定用駆動電圧ＶＭもまた、例えば、０Ｖから−１２Ｖの範囲のなかのいずれかの電圧である。
【００５７】
［発光期間］
図３を参照してＥＬパネル１１に設定される発光期間を説明する。なお、ＥＬパネル１１の有する期間のなかで発光期間とは、書込期間に続いて設定される期間である。
【００５８】
図３が示すように、ＥＬパネル１１における発光期間において、制御部１２は、駆動部１３の駆動を制御して、測定用スイッチＳｗｍをオフ状態に設定し、かつ、書込スイッチＳｗｄをオフ状態に設定する。これによって、データ線Ｌｄは、ハイインピーダンス状態に設定される。
【００５９】
駆動部１３は、第１選択信号Ｖｓｅｌ１にローレベルＬ１を設定し、かつ、第２選択信号Ｖｓｅｌ２にハイレベルＨ２を設定する。例えば、駆動部１３は、第１選択信号Ｖｓｅｌ１にローレベルＬ１の一例である−２Ｖを設定し、かつ、第２選択信号Ｖｓｅｌ２にハイレベルＨ１の一例である１５Ｖを設定する。これによって、保持トランジスタＴ２はオフ状態に設定され、選択トランジスタＴ３はオン状態に設定される。そして、駆動トランジスタＴ１のゲートと、駆動トランジスタＴ１のドレインとが、電気的に切り離されて、駆動トランジスタＴ１のダイオード接続が解除される。一方で、駆動トランジスタＴ１のソースとデータ線Ｌｄとは、選択トランジスタＴ３の電流路を通じて電気的接続される。
【００６０】
駆動部１３は、駆動トランジスタＴ１が飽和領域において駆動して、ＥＬ素子ＯＥＬにおいて電流が流れるように、ＥＬ素子ＯＥＬに対しては順方向のバイアスである発光電圧ＥＬＶＤＤを電源信号Ｖａに設定する。例えば、駆動部１３は、発光電圧ＥＬＶＤＤの一例として、ローレベルＬ１やローレベルＬ２とは反対の極性であって、かつ、基準電圧ＥＬＶＳＳよりも１５Ｖだけ高い電圧である１９Ｖを電源信号Ｖａに設定する。これによって、駆動トランジスタＴ１のドレインの電圧レベル、すなわち、ノードＮ３の電圧レベルは、駆動トランジスタＴ１のソースの電圧レベルよりも高く設定される。そして、保持容量Ｃｓに保持されたゲート‐ソース間電圧Ｖｇｓである４Ｖに応じたドレイン‐ソース間電流Ｉｄｓが、駆動トランジスタＴ１の電流路であるドレイン‐ソース間に流れ始めて、ＥＬ素子ＯＥＬは発光する。
【００６１】
こうしたドレイン‐ソース間電流Ｉｄｓの供給に伴い、駆動トランジスタＴ１のソースにおける電圧レベル、すなわち、ＥＬ素子ＯＥＬのアノードであるノードＮ２の電圧レベルは、基準電圧ＥＬＶＳＳよりも素子電圧Ｖｅｌだけ高く設定される。素子電圧Ｖｅｌは、ＥＬ素子ＯＥＬのカソードとＥＬ素子ＯＥＬのアノードとの間の電圧であって、ＥＬ素子ＯＥＬに電流を流すときに、実際にＥＬ素子ＯＥＬに印加されている電圧である。そして、選択トランジスタＴ３がオン状態に設定されているため、また、データ線Ｌｄがハイインピーダンス状態に設定されているため、データ線Ｌｄの電圧レベルもまた、ノードＮ２の電圧レベルとほぼ同じく、基準電圧ＥＬＶＳＳよりも素子電圧Ｖｅｌだけ高く設定される。
【００６２】
なお、複数の発光期間のなかで測定期間に先行して連続する発光期間では、上述したように、保持容量Ｃｓの保持する電圧に応じた電流がＥＬ素子ＯＥＬに流れる期間において、データ線Ｌｄがハイインピーダンス状態に設定されて、選択トランジスタＴ３がオン状態に設定される。一方で、複数の発光期間のなかで、例えば、測定期間に後続する発光期間では、保持容量Ｃｓの保持する電圧に応じた電流がＥＬ素子ＯＥＬに流れる期間において、選択トランジスタＴ３がオン状態に設定されてもよいし、選択トランジスタＴ３がオフ状態に設定されて、かつ、データ線Ｌｄに次回の駆動電圧ＶＤが設定されてもよい。
【００６３】
［測定期間］
図４を参照してＥＬパネル１１に設定される測定期間を説明する。
ＥＬパネル１１においては、書込期間と発光期間とが交互に繰り返して設定される間において、１つの測定期間が今回の発光期間と次回の書込期間との間に設定される。例えば、ＥＬ装置１０の始動に際しては、１回目の発光期間とそれに続く２回目の書込期間との間に１つの測定期間が設定されて、この測定期間の後に、書込期間と発光期間とが繰り返される。また、例えば、ＥＬ装置１０の出荷の検査に際しては、書込期間と発光期間とが所定の回数だけ交互に繰り返された後に、それに続く発光期間と書込期間との間に１つの測定期間が設定される。なお、測定期間の設定される回数は、１つのＥＬ素子ＯＥＬに対して複数であってもよいし、１つのＥＬ素子ＯＥＬに対して１回のみであってもよい。
【００６４】
ＥＬパネル１１の有する期間のなかで測定期間とは、データ線Ｌｄと測定部１２Ｍ１とが接続されて、ＥＬ素子ＯＥＬのアノード電圧がデータ線Ｌｄを通じて測定対象Ｖｏｕｔとして測定される期間である。
【００６５】
図４が示すように、ＥＬパネル１１における測定期間において、制御部１２は、駆動部１３の駆動を制御して、測定用スイッチＳｗｍをオン状態に設定し、かつ、書込スイッチＳｗｄをオフ状態に設定する。これによって、データ線Ｌｄと測定部１２Ｍ１とが接続される。
【００６６】
駆動部１３は、第１選択信号Ｖｓｅｌ１にローレベルＬ１を設定し続け、かつ、第２選択信号Ｖｓｅｌ２をハイレベルＨ２からローレベルＬ２に切り替える。例えば、駆動部１３は、第２選択信号Ｖｓｅｌ２のローレベルＬ２として、第１選択信号Ｖｓｅｌ１のローレベルＬ１よりもさらに低い−１４Ｖを設定する。
【００６７】
なお、第１選択信号Ｖｓｅｌ１に設定されるローレベルＬ１は、保持トランジスタＴ２においてオン電流、および、オフ電流が流れない電圧レベルであり、第２選択信号Ｖｓｅｌ２に設定されるローレベルＬ２もまた、選択トランジスタＴ３においてオン電流、および、オフ電流が流れない電圧レベルである。そして、ローレベルＬ１とローレベルＬ２とは、同じ電圧レベルであってもよいし、相互に異なる電圧レベルであってもよく、薄膜トランジスタの特性に応じて適宜選択されるものである。
【００６８】
これによって、保持トランジスタＴ２はオフ状態に設定され続け、選択トランジスタＴ３はオン状態からオフ状態に切り替わる。そして、駆動トランジスタＴ１のソースとデータ線Ｌｄとが電気的に切り離されて、ＥＬ素子ＯＥＬが発光しているときのアノード電圧は、データ線Ｌｄの電圧である測定対象Ｖｏｕｔとして測定部１２Ｍ１に取り込まれる。
【００６９】
測定部１２Ｍ１に取り込まれた測定対象Ｖｏｕｔの測定結果は、上述したように、制御部１２において階調補正値ΔＶｅｌの算出に用いられる。ここで、ＥＬ素子ＯＥＬが抵抗Ｒｅｌを有し、ＥＬ素子ＯＥＬに発光電流Ｉｅｌが流れるとき、素子電圧Ｖｅｌは、Ｖｅｌ＝Ｉｅｌ×Ｒｅｌによって得られる。こうしたＥＬ素子ＯＥＬの輝度のばらつきが抵抗Ｒｅｌのばらつきに大きく依存するとき、ＥＬ素子ＯＥＬの輝度のばらつきは素子電圧Ｖｅｌばらつきとして検出される。すなわち、素子電圧ＶｅｌはＥＬ素子ＯＥＬの抵抗Ｒｅｌに比例するため、ＥＬ素子ＯＥＬの抵抗Ｒｅｌのばらつきが、ＥＬ素子ＯＥＬの輝度のばらつきと強い相関を有するとき、素子電圧Ｖｅｌと輝度のばらつきもまた強い相関を有する。それゆえに、素子電圧Ｖｅｌの測定結果に基づく基準階調値Ｄｂの補正、すなわち、上述した測定対象Ｖｏｕｔの測定結果に基づく制御階調値Ｄｉｎの生成によれば、輝度のばらつきを軽減することが可能である。
【００７０】
例えば、測定期間に先行して設定された書込期間の階調駆動電圧Ｖｄａｔａが、所定の測定用駆動電圧ＶＭであり、測定用駆動電圧ＶＭがデータ線Ｌｄに設定されることによって得られるべきアノード電圧が、測定対象Ｖｏｕｔの基準値として設定される。そして、測定対象Ｖｏｕｔの基準値と、測定対象Ｖｏｕｔの測定結果との差に相当する輝度の階調値が、階調補正値ΔＶｅｌとして算出される。
【００７１】
こうして算出された階調補正値ΔＶｅｌは、測定用駆動電圧ＶＭの設定から得られるべき素子電圧Ｖｅｌと、実際に得られた素子電圧Ｖｅｌとの差に相当する。すなわち、階調補正値ΔＶｅｌは、測定用駆動電圧ＶＭの設定から得られるべき輝度の階調値と、実際に得られた輝度の階調値との差に相当する。そして、基準階調値Ｄｂと階調補正値ΔＶｅｌとの加算値である制御階調値Ｄｉｎは、次回の書込期間において駆動電圧ＶＤを補正するための値であり、測定結果と基準値との差、すなわち、得られるべき輝度と実際の輝度との差を小さくする値である。
【００７２】
また、例えば、複数のＥＬ素子ＯＥＬの各々に対応付けられた測定対象Ｖｏｕｔの測定結果から、これらの平均値が測定対象Ｖｏｕｔの基準値として設定される。そして、測定対象Ｖｏｕｔの基準値と、測定対象Ｖｏｕｔの測定結果との差に相当する輝度の階調値が、階調補正値ΔＶｅｌとして算出される。
【００７３】
こうして算出される階調補正値ΔＶｅｌは、複数のＥＬ素子ＯＥＬにおける素子電圧Ｖｅｌの平均値と、１つのＥＬ素子ＯＥＬにおける素子電圧Ｖｅｌとの差に相当する。すなわち、階調補正値ΔＶｅｌは、複数のＥＬ素子ＯＥＬから得られる平均的な輝度と、１つのＥＬ素子ＯＥＬにおいて得られる輝度との差に相当する。そして、基準階調値Ｄｂと階調補正値ΔＶｅｌとの加算値である制御階調値Ｄｉｎは、次回の書込期間において駆動電圧ＶＤを補正するための値であり、１つのＥＬ素子ＯＥＬから得た測定結果と基準値との差、すなわち、複数のＥＬ素子ＯＥＬにおける輝度のばらつきを小さくする値である。
【００７４】
なお、駆動部１３は、上述した測定期間において、発光電圧ＥＬＶＤＤを電源信号Ｖａに設定し続ける。そして、ＥＬ素子ＯＥＬのアノード電圧が測定部１２Ｍ１によって測定されている間も、保持容量Ｃｓに保持されたゲート‐ソース間電圧Ｖｇｓである４Ｖに応じたドレイン‐ソース間電流Ｉｄｓが、駆動トランジスタＴ１の電流路であるドレイン‐ソース間に流れ続けて、ＥＬ素子ＯＥＬは発光し続ける。
【００７５】
［ＥＬ装置１０の動作］
図５を参照してＥＬ装置１０の動作を説明する。
タイミングｔ１において、制御部１２は、測定用スイッチＳｗｍをオフ状態に設定し、かつ、書込スイッチＳｗｄをオン状態に設定する。また、制御部１２は、第１選択信号Ｖｓｅｌ１にハイレベルＨ１を設定し、かつ、第２選択信号Ｖｓｅｌ２にハイレベルＨ２を設定する。そして、制御部１２は、電源信号Ｖａに書込電圧ＷＤＶＳＳを設定し、かつ、駆動電圧ＶＤとして測定用駆動電圧ＶＭを設定する。これによって、制御部１２は、ＥＬパネル１１において書込期間Ｔｗｒｔの設定を開始し、書込電圧ＷＤＶＳＳと測定用駆動電圧ＶＭとの差に応じた電圧を保持容量Ｃｓに書き込む。
【００７６】
タイミングｔ２において、制御部１２は、測定用スイッチＳｗｍをオフ状態に維持し、かつ、書込スイッチＳｗｄをオン状態からオフ状態に切り替える。また、制御部１２は、第１選択信号Ｖｓｅｌ１にローレベルＬ１を設定し、かつ、第２選択信号Ｖｓｅｌ２にローレベルＬ２を設定する。そして、制御部１２は、電源信号Ｖａに書込電圧ＷＤＶＳＳを設定し続ける。これによって、制御部１２は、ＥＬパネル１１において書込期間Ｔｗｒｔの設定を終了し、書込電圧ＷＤＶＳＳと測定用駆動電圧ＶＭとの差に応じた電圧を保持容量Ｃｓに保持させる。
【００７７】
タイミングｔ３において、制御部１２は、測定用スイッチＳｗｍをオフ状態に維持し、かつ、書込スイッチＳｗｄをオフ状態に維持する。また、制御部１２は、第１選択信号Ｖｓｅｌ１をローレベルＬ１に維持し、かつ、第２選択信号Ｖｓｅｌ２をローレベルＬ２からハイレベルＨ２に切り替える。そして、制御部１２は、電源信号Ｖａに発光電圧ＥＬＶＤＤを設定する。これによって、制御部１２は、ＥＬパネル１１において発光期間Ｔｅｍの設定を開始し、保持容量Ｃｓに保持された電圧に応じたドレイン‐ソース間電流ＩｄｓをＥＬ素子ＯＥＬに流してＥＬ素子ＯＥＬを発光させる。
【００７８】
タイミングｔ４において、制御部１２は、第１選択信号Ｖｓｅｌ１をローレベルＬ１に維持し、かつ、第２選択信号Ｖｓｅｌ２をハイレベルＨ２からローレベルＬ２に切り替える。また、制御部１２は、書込スイッチＳｗｄをオフ状態に維持し、かつ、測定用スイッチＳｗｍをオフ状態からオン状態に切り替える。そして、制御部１２は、電源信号Ｖａに発光電圧ＥＬＶＤＤを設定し続ける。これによって、制御部１２は、ＥＬパネル１１において発光期間Ｔｅｍの設定を終了し、かつ、ＥＬパネル１１において測定期間Ｔｄｅｔの設定を開始し、ＥＬ素子ＯＥＬが発光しているときのアノード電圧をデータ線Ｌｄの電圧である測定対象Ｖｏｕｔとして測定部１２Ｍ１に取り込む。制御部１２は、測定部１２Ｍ１に取り込まれた測定対象Ｖｏｕｔの測定結果から階調補正値ΔＶｅｌを算出し、基準階調値Ｄｂと階調補正値ΔＶｅｌとの加算値である制御階調値Ｄｉｎを算出する。
【００７９】
タイミングｔ５において、制御部１２は、第１選択信号Ｖｓｅｌ１をローレベルＬ１に維持し、かつ、第２選択信号Ｖｓｅｌ２をローレベルＬ２に維持する。また、制御部１２は、書込スイッチＳｗｄをオフ状態に維持し、かつ、測定用スイッチＳｗｍをオン状態からオフ状態に切り替える。そして、制御部１２は、電源信号Ｖａに書込電圧ＷＤＶＳＳを設定する。これによって、制御部１２は、ＥＬパネル１１において測定期間Ｔｄｅｔの設定を終了する。以後、制御部１２は、書込期間と発光期間とを交互に繰り返し、書込期間においては、制御階調値Ｄｉｎから生成された階調駆動電圧Ｖｄａｔａを駆動電圧ＶＤとして設定する。
【００８０】
以上、第１実施形態によれば、以下に列挙する効果が得られる。
（１）ＥＬ素子ＯＥＬに電流が流れるときのＥＬ素子ＯＥＬのアノード電圧は、ＥＬ素子ＯＥＬの有する抵抗や誘電率などのＥＬ素子ＯＥＬの特性値によって変わるため、こうしたアノード電圧が基準値に近づくように駆動電圧ＶＤが補正される。それゆえに、ＥＬ素子ＯＥＬに流す電流がＥＬ素子ＯＥＬの特性値によって変わることを補正できる。
【００８１】
（２）１つの測定期間Ｔｄｅｔによって得られた測定結果は、測定期間Ｔｄｅｔ以降において、複数の書込期間Ｔｗｒｔの各々における駆動電圧ＶＤの補正に用いられる。そのため、測定期間Ｔｄｅｔの設定される回数が増えることを抑えることが可能でもある。
【００８２】
（３）測定結果の平均値が基準値として設定されるため、複数のＥＬ素子ＯＥＬの各々の発光から構成される画像において、ＥＬ素子ＯＥＬの特性値のばらつきに起因した画質の低下が抑えられる。
【００８３】
（４）測定部１２Ｍ１がデータ線Ｌｄから測定対象Ｖｏｕｔを取得する期間も、駆動トランジスタＴ１を通じてＥＬ素子ＯＥＬには電流が流れる。それゆえに、ＥＬ素子ＯＥＬの発光を測定期間Ｔｄｅｔの少なくとも一部において継続させることが可能である。
【００８４】
上記第１実施形態は、以下のように変更して実施することもできる。
［制御部１２］
・入力信号ＳＩＧは、ＥＬ素子ＯＥＬごとの輝度の階調を示すデジタル信号であってもよい。なお、制御部１２に入力される入力信号ＳＩＧが、ＥＬ素子ＯＥＬごとの輝度の階調を示すデジタル信号であるとき、制御部１２からはデータ変換部１２Ａが割愛されて、制御部１２は、入力信号ＳＩＧ自体を基準階調値Ｄｂとして取り扱い、タイミング制御信号ＳＴＣＯＮを生成するタイミングコントローラを別途備える。例えば、露光対象を露光するか否かという２階調の光源としてＥＬ装置が用いられる場合には、こうした簡素な構成が好ましい。
【００８５】
・測定処理部１２Ｍにおいて測定対象Ｖｏｕｔを測定する測定部１２Ｍ１は、測定処理部１２Ｍから割愛されて、ＥＬパネル１１に搭載されてもよい。この際に、制御部１２の備える入力インターフェースには、測定対象Ｖｏｕｔに代えて、測定対象Ｖｏｕｔの測定結果であるデジタル値がＥＬパネル１１から入力され、制御部１２に入力される測定結果は、測定処理部１２Ｍの備える測定結果記憶部１２Ｍ２に記憶される。
【００８６】
・測定処理部１２Ｍにおいて測定結果を記憶する機能は、測定処理部１２Ｍから割愛されて、測定対象Ｖｏｕｔの測定結果であるデジタル値は、測定処理部１２Ｍにおける基準値設定部１２Ｍ３に入力されて階調補正値ΔＶｅｌの算出に用いられてもよい。
【００８７】
［測定期間］
・測定用駆動電圧ＶＭは、素子電圧Ｖｅｌを測定するために設定されるものであるから、測定期間に先行して設定される今回の発光期間、および、測定期間にＥＬ素子ＯＥＬを過度に発光させない観点において、測定用駆動電圧ＶＭと書込電圧ＷＤＶＳＳとの差は小さいことが好ましい。
【００８８】
・測定期間は、ＥＬ素子ＯＥＬに電流が流れるときのアノード電圧を測定する期間である。それゆえに、測定部１２Ｍ１に測定対象Ｖｏｕｔが取り込まれて以降、さらには、データ線ＬｄとＥＬ素子ＯＥＬのアノードとが電気的に切り離されて以降は、ＥＬ素子ＯＥＬを過度に発光させない観点において、電源信号Ｖａを発光電圧ＥＬＶＤＤから書込電圧ＷＤＶＳＳに切り替えることが好ましい。
【００８９】
・測定期間Ｔｄｅｔに後続する次回の書込期間Ｔｗｒｔは、次回の測定期間Ｔｄｅｔに先行して設定される書込期間Ｔｗｒｔであって、補正の対象となる駆動電圧ＶＤは、制御階調値Ｄｉｎから生成される階調駆動電圧Ｖｄａｔａの他に、次回の書込期間Ｔｗｒｔに設定される測定用駆動電圧ＶＭであってもよい。こうした期間の設定によれば、１つのＥＬ素子ＯＥＬに対して測定期間Ｔｄｅｔが繰り返されるため、ＥＬ素子ＯＥＬ自体の特性値に関する情報の精度が高められる。
【００９０】
・今回の発光期間Ｔｅｍと測定期間Ｔｄｅｔとの両方においてＥＬ素子ＯＥＬが発光する構成において、今回の発光期間Ｔｅｍの有する長さは、データ線Ｌｄの電圧が安定して、ＥＬ素子ＯＥＬのアノード電圧に相当する電圧がデータ線Ｌｄに取り込まれる長さであれば足りる。
【００９１】
・測定期間に先行して設定される今回の書込期間において、データ線Ｌｄに設定される駆動電圧ＶＤは、測定用駆動電圧ＶＭに限らず、例えば、最大階調値から得られる階調駆動電圧Ｖｄａｔａや中間階調値から得られる階調駆動電圧Ｖｄａｔａであってもよい。
【００９２】
［ＥＬ素子の駆動回路］
・ＥＬ素子ＯＥＬを駆動する回路は、３つのｎチャンネル型トランジスタと１つの保持容量Ｃｓとを備える３Ｔ１Ｃ型の回路に限らず、例えば、駆動トランジスタ、保持トランジスタ、および、選択トランジスタに加えて、他の機能を有したトランジスタを備える４つ以上のトランジスタから構成される回路であってもよい。
【００９３】
・駆動トランジスタＴ１、保持トランジスタＴ２、および、選択トランジスタＴ３は、ｎチャンネル型トランジスタに限らず、ｐチャンネル型トランジスタであってもよい。この際に、駆動トランジスタＴ１のソースは、電源線Ｌａに電気的接続し、駆動トランジスタＴ１のドレインは、ノードＮ２に電気的接続される。保持トランジスタＴ２のソースは、駆動トランジスタＴ１のソースに電気的接続され、保持トランジスタＴ２のドレインは、駆動トランジスタＴ１のゲートに電気的接続される。そして、選択トランジスタＴ３のドレインは、データ線Ｌｄに電気的接続され、選択トランジスタＴ３のソースは、駆動トランジスタＴ１のドレインに電気的接続される。
【００９４】
［ＥＬ装置］
・ＥＬ素子ＯＥＬの有するＥＬ層は、例えば、正孔輸送と電子輸送とを兼ねる発光層のみから構成されてもよいし、発光層と正孔輸送性発光層と電子輸送層とからなる積層構造であってもよいし、これらの層の間に電荷輸送層が挟まれた積層構造であってもよい。
【００９５】
・ＥＬ素子ＯＥＬは、有機ＥＬ素子であってもよいし、無機ＥＬ素子であってもよいし、発光ダイオードであってもよい。要するに、ＥＬ素子は、駆動トランジスタのドレイン‐ソース間電流が流れることによって発光する素子であればよい。
【００９６】
［ＥＬ装置］
・ＥＬ装置は、例えば、デジタルカメラ、モバイル型のパーソナルコンピュータ、携帯機器などの各種の電子機器の表示部に用いることができる。
・ＥＬ装置において画素の並ぶ方向は、２次元方向であってもよいし、１次元方向であってもよい。例えば、ＥＬ装置は、複数の画素ＰＸが１次元方向に沿って並ぶ発光素子アレイ基板として感光体ドラムに搭載されて、発光素子アレイ基板から出射された光が感光ドラムに照射されて感光ドラムを露光する露光装置であってもよい。
【００９７】
［第２実施形態］
図６から図１０を参照してＥＬ装置、および、ＥＬ装置の駆動方法の第２実施形態を説明する。なお、第２実施形態は、第１実施形態におけるＥＬ素子ＯＥＬがＥＬパネル１１においてマトリックス状に配置され、複数のＥＬ素子ＯＥＬの各々を駆動する回路が１つのＥＬ素子ＯＥＬずつ備えられている。それゆえに、第１実施形態にて説明された構成と同様の構成に対しては、第１実施形態における構成と同じ符号を付して、その説明を割愛する。
【００９８】
［ＥＬ装置２０の構成］
図６を参照してＥＬ装置２０の構成について説明する。
図６が示すように、ＥＬパネル２１は、１つの方向である行方向に沿って延びる複数の第１選択線Ｌｓ１と、同じく行方向に沿って延びる複数の第２選択線Ｌｓ２と、同じく行方向に沿って延びる複数の電源線Ｌａと、行方向と直交する方向である列方向に沿って延びる複数のデータ線Ｌｄとを備えている。平面視において、複数の第１選択線Ｌｓ１、および、複数の第２選択線Ｌｓ２の各々と、複数のデータ線Ｌｄの各々との交差する部位の近傍には、画素ＰＸが位置している。画素ＰＸは、ｎ行×ｍ列（ｎ、ｍは、任意の正の整数）からなるマトリクス状に位置している。
【００９９】
複数の第１選択線Ｌｓ１の各々は、設定部を構成する第１選択ドライバ２０Ａに電気的接続し、マトリックス状に位置する複数の画素ＰＸは、１行分の画素ＰＸごとに１つの第１選択線Ｌｓ１に接続している。
【０１００】
複数の第２選択線Ｌｓ２の各々は、設定部を構成する第２選択ドライバ２０Ｂに電気的接続し、マトリックス状に位置する複数の画素ＰＸは、１行分の画素ＰＸごとに１つの第２選択線Ｌｓ２に接続している。
【０１０１】
複数のデータ線Ｌｄの各々は、設定部、および、測定部を構成するデータドライバ４０に電気的接続し、マトリックス状に位置する複数の画素ＰＸは、１列分の画素ＰＸごとに１つのデータ線Ｌｄに接続している。
【０１０２】
複数の電源線Ｌａの各々は、設定部を構成する電源ドライバ３０に電気的接続し、マトリックス状に位置する複数の画素ＰＸは、１行分の画素ＰＸごとに１つの電源線Ｌａに接続している。
【０１０３】
第１選択ドライバ２０Ａは、システムコントローラ５０から出力される制御信号ＳＣＯＮ１に基づいて、複数の第１選択線Ｌｓ１の各々に対応するシフト信号を、行ごとに順次出力するシフトレジスタを備えている。また、第１選択ドライバ２０Ａは、シフト信号の電圧レベルをハイレベルＨ１に変換して、シフト信号に対応する行の第１選択信号Ｖｓｅｌ１にハイレベルＨ１を設定する出力バッファを備えている。第１選択ドライバ２０Ａは、第１選択信号Ｖｓｅｌ１としてハイレベルＨ１の設定されていない行に、第１選択信号Ｖｓｅｌ１としてローレベルＬ１を設定する。
【０１０４】
第２選択ドライバ２０Ｂは、システムコントローラ５０から出力される制御信号ＳＣＯＮ２に基づいて、複数の第２選択線Ｌｓ２の各々に対応するシフト信号を、行ごとに順次出力するシフトレジスタを備えている。また、第２選択ドライバ２０Ｂは、シフト信号の電圧レベルをハイレベルＨ２に変換して、シフト信号に対応する行の第２選択信号Ｖｓｅｌ２にハイレベルＨ２を設定する出力バッファを備えている。第２選択ドライバ２０Ｂは、第２選択信号Ｖｓｅｌ２としてハイレベルＨ２の設定されていない行に、第２選択信号Ｖｓｅｌ２としてローレベルＬ２を設定する。
【０１０５】
データドライバ４０は、システムコントローラ５０から出力される制御信号に基づいて、システムコントローラ５０から出力される画素ＰＸごとの制御階調値Ｄｉｎを１行分ずつ順次取り込むシフトレジスタを備えている。データドライバ４０は、シフトレジスタに取り込まれた１行分の制御階調値Ｄｉｎの各々を相互に異なる列に対応付けて保持するデータラッチ部を備えている。データドライバ４０は、データラッチ部に保持された列ごとの制御階調値Ｄｉｎから階調駆動電圧Ｖｄａｔａを生成して、階調駆動電圧Ｖｄａｔａをそれに対応する列のデータ線Ｌｄに出力する出力回路を備えている。
【０１０６】
電源ドライバ３０は、複数の電源線Ｌａの各々に対応するシフト信号を、行ごとに順次出力するシフトレジスタを備えている。また、電源ドライバ３０は、シフト信号の電圧レベルを書込電圧ＷＤＶＳＳに変換して、シフト信号に対応する行の電源信号Ｖａに書込電圧ＷＤＶＳＳを設定する出力バッファを備えている。電源ドライバ３０は、電源信号Ｖａとして書込電圧ＷＤＶＳＳの設定されていない行に、電源信号Ｖａとして発光電圧ＥＬＶＤＤを設定する。
【０１０７】
システムコントローラ５０は、入力信号ＳＩＧからタイミング成分を抽出して、制御信号ＳＣＯＮ１，ＳＣＯＮ２，ＳＣＯＮ３を生成し、制御信号ＳＣＯＮ１，ＳＣＯＮ２，ＳＣＯＮ３の各々を、それに対応する第１選択ドライバ２０Ａ、第２選択ドライバ２０Ｂ、および、電源ドライバ３０に出力する。システムコントローラ５０は、入力信号ＳＩＧからタイミング成分を抽出して、データドライバ４０の駆動を制御するための各種の制御信号を生成し、その制御信号をデータドライバ４０に出力する。
【０１０８】
システムコントローラ５０は、データ変換部５０Ａを備え、データ変換部５０Ａは、ＥＬ装置２０の外部から入力信号ＳＩＧを受入れ、入力信号ＳＩＧに含まれる階調成分を入力信号ＳＩＧから抽出する。データ変換部５０Ａは、上述したデータ変換部１２Ａと同様の機能を備え、入力信号ＳＩＧから抽出した階調成分から画素ＰＸごとの基準階調値Ｄｂを生成する。
【０１０９】
システムコントローラ５０は、測定処理部５０Ｍを備え、測定処理部５０Ｍは、データドライバ４０からデジタル値である測定データＤｏｕｔを受け取る。測定データＤｏｕｔは、ＥＬ素子ＯＥＬごとの特性値に関する情報であって、ＥＬ素子ＯＥＬが発光するときのＥＬ素子ＯＥＬにおけるアノード電圧を示すデジタル値である。測定処理部５０Ｍは、上述した測定処理部１２Ｍと同様の機能を備え、複数の画素ＰＸの各々における測定データＤｏｕｔから、測定データＤｏｕｔの基準値を設定する。すなわち、測定処理部５０Ｍは、複数の画素ＰＸの各々に対応付けられた測定データＤｏｕｔからこれらの平均値を算出し、その算出結果である平均値を測定データＤｏｕｔの基準値として設定する。そして、測定処理部５０Ｍは、こうした測定データＤｏｕｔの基準値と、画素ＰＸごとの測定結果との差に相当する輝度の階調値を、画素ＰＸごとの階調補正値ΔＶｅｌとして算出する。
【０１１０】
システムコントローラ５０は、階調補正部５０Ｃを備え、階調補正部５０Ｃは、データ変換部１２Ａから入力される画素ＰＸごとの基準階調値Ｄｂに、その画素ＰＸに対応する階調補正値ΔＶｅｌを加算して、デジタル値である制御階調値Ｄｉｎを画素ＰＸごとに算出する。システムコントローラ５０は、ＥＬパネル２１の１行分ずつ、制御階調値Ｄｉｎを列の番号順にデータドライバ４０に出力する。
【０１１１】
［データドライバ４０］
図７が示すように、データドライバ４０は、シフトレジスタ４１、データレジスタ４２、データラッチ４３、変換器４４ａ，４４ｂ、バッファ４５ａ，４５ｂ、および、レベルシフタ４６ａ，４６ｂを備えている。
【０１１２】
シフトレジスタ４１、データレジスタ４２、および、データラッチ４３は、低耐圧回路として構成されている。シフトレジスタ４１、データレジスタ４２、および、データラッチ４３には、ロジック電源６０から、論理的にハイレベルのロジック高電圧ＬＶＤＤと、論理的にローレベルのロジック低電圧ＬＶＳＳとが印加されている。
【０１１３】
変換器４４ａ，４４ｂ、および、バッファ４５ａ，４５ｂは、高耐圧回路として構成されている。変換器４４ａ，４４ｂ、および、バッファ４５ａ，４５ｂには、アナログ電源７０から、ハイレベルのアナログ高電圧ＤＶＳＳと、ローレベルのアナログ低電圧ＶＥＥとが印加されている。アナログ高電圧ＤＶＳＳは、書込電圧ＷＤＶＳＳ、および、基準電圧ＥＬＶＳＳとほぼ等しい電圧レベルを設定されている。
【０１１４】
システムコントローラ５０は、制御信号の１つであるデータスタートパルスＳＰｄをデータドライバ４０に入力し、また、制御信号の１つであるデータシフトクロックＣｌｋｄをデータドライバ４０に入力する。シフトレジスタ４１は、データスタートパルスＳＰｄから、ビット長がｎビットであるパラレル信号を生成する。データシフトクロックＣｌｋｄがシフトクロックとして入力されるとき、シフトレジスタ４１は、データシフトクロックＣｌｋｄの周期によってデータスタートパルスＳＰｄを１ビットずつシフトさせる。
【０１１５】
シフトレジスタ４１の生成するｎビットのパラレル信号は、ｎ列のデータ線Ｌｄの中から１つのデータ線Ｌｄを１列ずつ列番号順に選択するための信号である。シフトレジスタ４１は、データ線Ｌｄを選択するためのパラレル信号をデータシフトクロックＣｌｋｄの周期によって生成する。データシフトクロックＣｌｋｄは、１つの第１選択線Ｌｓ１が選択される期間に、１行分の画素ＰＸの全てに制御階調値Ｄｉｎを割り当てるシフトクロックである。
【０１１６】
データレジスタ４２は、ｎ列×ｋ個のレジスタを備え、シフトレジスタ４１の出力するパラレル信号のビットごとにｋ個のレジスタを備えている。例えば、制御階調値Ｄｉｎにおける最高階調値が２５５であるとき、制御階調値Ｄｉｎは８ビットのデジタル値であって、データレジスタ４２はｎ列×８個のレジスタを備えている。シフトレジスタ４１の出力するパラレル信号は、こうしたｎ列×ｋ個のレジスタから、１列ずつ列番号順にｋ個のレジスタを選択する。データレジスタ４２は、選択されたｋ個のレジスタに制御階調値Ｄｉｎを格納して、格納先となるｋ個のレジスタをデータシフトクロックＣｌｋｄの周期によって１列ずつ列番号順にシフトさせる。
【０１１７】
システムコントローラ５０は、制御信号の１つであるデータドライバ４０にラッチパルスＬＰを入力する。データラッチ４３は、データレジスタ４２の備えるｋ個のレジスタごとに１つずつデータラッチ４３を備え、ｎ列のデータラッチ４３の各々に対して共通するラッチパルスＬＰを入力する。
【０１１８】
ｊ列目のデータラッチ４３の入力端は、書込期間、および、発光期間において、ｊ列目のレジスタに接続される。ｊ列目のデータラッチ４３は、ｊ列目のレジスタに格納された制御階調値Ｄｉｎを保持し、その保持をラッチパルスＬＰに同期させる。ｊ列目のデータラッチ４３は、ｊ列目のデータラッチ４３に保持される制御階調値Ｄｉｎを変換器４４ａへ出力する。すなわち、データラッチ４３は、データレジスタ４２に格納された１行分の制御階調値Ｄｉｎを、ラッチパルスＬＰごとに保持し、保持された１行分の制御階調値Ｄｉｎを変換器４４ａへ一斉に出力する。
【０１１９】
データラッチ４３は、ｊ列目のデータラッチ４３の入力端に接続されたｊ列の入力スイッチＳｗ１と、ｊ列目のデータラッチ４３の出力端に接続されたｊ列の出力スイッチＳｗ２とを備えている。また、データラッチ４３は、１列目の出力スイッチＳｗ２とシステムコントローラ５０とに接続された転送スイッチＳｗ３とを備えている。
【０１２０】
入力スイッチＳｗ１は、システムコントローラ５０からの制御信号Ｓ１によって駆動されて、ｐ列目（１≦ｐ≦ｎ−１）のデータラッチ４３の入力端を、データレジスタ４２におけるｐ列目のレジスタ、ｐ列目の変換器４４ｂ、および、ｐ＋１列目のデータラッチ４３の出力端の中のいずれか１つに接続する。
【０１２１】
データラッチ４３の入力端とデータレジスタ４２とが接続されるとき、データラッチ４３は、データレジスタ４２に格納された制御階調値ＤｉｎをラッチパルスＬＰごとに保持する。データラッチ４３の入力端と変換器４４ｂとが接続されるとき、データラッチ４３は、変換器４４ｂから出力されるデータを測定データＤｏｕｔとしてラッチパルスＬＰごとに保持する。ｐ列目のデータラッチ４３の入力端とｐ＋１列目のデータラッチ４３の出力端とが接続されるとき、ｐ列目のデータラッチ４３は、ｐ＋１列目のデータラッチ４３が保持する測定データＤｏｕｔをラッチパルスＬＰごとに保持する。なお、この際に、最後列であるｎ列目のデータラッチ４３は、ロジック電源６０に接続されて、ｎ列目のデータラッチ４３は、ロジック低電圧ＬＶＳＳに相当するデジタル値を測定データＤｏｕｔとして保持し続ける。
【０１２２】
出力スイッチＳｗ２は、システムコントローラ５０からの制御信号Ｓ２によって駆動されて、ｐ＋１列目のデータラッチ４３の出力端を、ｐ＋１列目の変換器４４ａ、または、ｐ列目のデータラッチ４３の入力端に接続する。
【０１２３】
データラッチ４３の出力端と変換器４４ａとが接続されるとき、データラッチ４３に保持された制御階調値Ｄｉｎは、ラッチパルスＬＰごとに変換器４４ａに入力される。ｐ＋１列目のデータラッチ４３の出力端とｐ列目のデータラッチ４３の入力端とが接続されるとき、ｐ＋１列目のデータラッチ４３の保持する測定データＤｏｕｔは、ラッチパルスＬＰごとにｐ列目のデータラッチ４３に保持される。
【０１２４】
転送スイッチＳｗ３は、システムコントローラ５０からの制御信号Ｓ３によって駆動されて、１列目のデータラッチ４３とシステムコントローラ５０との導通を制御する。１列目のデータラッチ４３とシステムコントローラ５０とが転送スイッチＳｗ３によって接続されるとき、１列目のデータラッチ４３に保持されたデータはシステムコントローラ５０へ出力される。
【０１２５】
ｎ列の変換器４４ａの各々は、入力されるデジタル値に対して出力されるアナログ値が線形性を有するリニア電圧デジタル‐アナログ変換器である。ｊ列目の変換器４４ａは、ｊ列目のデータラッチ４３に保持された制御階調値Ｄｉｎをアナログ電圧に変換する。ｎ列の変換器４４ａの各々は、変換後のアナログ電圧を、アナログ電源７０から印加されるアナログ高電圧ＤＶＳＳとアナログ低電圧ＶＥＥとの間の電圧に設定する。
【０１２６】
ｎ列の変換器４４ｂの各々は、入力されるアナログ値に対して出力されるデジタル値が線形性を有するリニア電圧アナログ‐デジタル変換器である。変換器４４ｂから出力されるデジタル値のビット長と、変換器４４ａに入力されるデジタル値のビット長とは、相互に等しく、例えば、８ビットを設定されている。ｊ列目の変換器４４ｂは、ｊ列目のバッファ４５ｂから出力されるアナログ電圧をデジタル値である測定データＤｏｕｔに変換する。ｐ＋１列の変換器４４ｂは、変換後のデジタル値である測定データＤｏｕｔを、ｐ列目のデータラッチ４３に出力する。
【０１２７】
レベルシフタ４６ａは、低耐圧回路からの信号を高耐圧回路に合わせて調整する電圧調整回路であり、レベルシフタ４６ｂは、高耐圧回路からの信号を低耐圧回路に合わせて調整する電圧調整回路である。ｊ列目のバッファ４５ａは、ｊ列目のデータ線Ｌｄに駆動電圧ＶＤを設定し、ｊ列目のバッファ４５ｂは、ｊ列目のデータ線Ｌｄの電圧をアナログ信号として取り込む。
【０１２８】
ｎ列の書込スイッチＳｗｄの各々は、システムコントローラ５０からの制御信号Ｓ４によって一斉に駆動されて、ｊ列目のバッファ４５ａの出力端と、ｊ列目のデータ線Ｌｄとの導通を制御する。ｎ列の書込スイッチＳｗｄの各々が、バッファ４５ａの出力端とデータ線Ｌｄとを一斉に接続するとき、制御階調値Ｄｉｎに相当する駆動電圧ＶＤが、ｎ列のデータ線Ｌｄの各々に一斉に設定される。
【０１２９】
ｎ列の測定用スイッチＳｗｍの各々は、システムコントローラ５０からの制御信号Ｓ５によって一斉に駆動されて、ｊ列目のバッファ４５ｂの入力端と、ｊ列目のデータ線Ｌｄとの導通を制御する。ｎ列の測定用スイッチＳｗｍの各々が、バッファ４５ｂの入力端とデータ線Ｌｄとを一斉に接続するとき、ｎ列のデータ線Ｌｄの各々における電圧レベルは、それに接続されたバッファ４５ｂに一斉に取り込まれる。
【０１３０】
ｎ列の測定設定スイッチＳｗｓの各々は、システムコントローラ５０からの制御信号Ｓ６によって一斉に駆動されて、アナログ電源７０における測定用駆動電圧ＶＭの入力端とデータ線Ｌｄとの導通を制御する。ｎ列の測定設定スイッチＳｗｓの各々が、アナログ電源７０とｎ列のデータ線Ｌｄとを一斉に接続するとき、ｎ列のデータ線Ｌｄの各々の電圧は測定用駆動電圧ＶＭに一斉に設定される。
【０１３１】
書込期間において、シフトレジスタ４１、データレジスタ４２、データラッチ４３、変換器４４ａ、バッファ４５ａ、および、レベルシフタ４６ａは、制御階調値Ｄｉｎに基づく駆動電圧ＶＤをデータ線Ｌｄごとに生成する。そして、データドライバ４０は、バッファ４５ａの出力端とデータ線Ｌｄとを導通させて、ｎ列のデータ線Ｌｄの各々に対して駆動電圧ＶＤを一斉に印加する。一方で、測定期間に先駆けて設定される書込期間では、データドライバ４０は、システムコントローラ５０から入力される制御信号に基づき、アナログ電源７０における測定用駆動電圧ＶＭの入力端とデータ線Ｌｄとを導通させて、ｎ列のデータ線Ｌｄの各々に対して一斉に測定用駆動電圧ＶＭを印加する。
【０１３２】
測定期間において、データドライバ４０は、システムコントローラ５０から入力される制御信号に基づき、データ線Ｌｄの電圧をデータ線Ｌｄごとに取り込んで測定データＤｏｕｔを生成する。
【０１３３】
例えば、測定期間において、まず、ｊ列目のデータラッチ４３の入力端がｊ列目の変換器４４ｂに接続される。そして、ｊ列目のデータラッチ４３は、そのｊ列目の変換器４４ｂからの出力を測定データＤｏｕｔとしてラッチパルスＬＰごとに保持する。次いで、ｐ列目のデータラッチ４３の入力端は、ｐ＋１列目のデータラッチ４３の出力端に接続される。そして、ｐ列目のデータラッチ４３の各々は、ｐ＋１列目の測定データＤｏｕｔをラッチパルスＬＰごとに保持する。１列目のデータラッチ４３の出力端はシステムコントローラ５０に接続されて、１列目のデータラッチ４３に保持される測定データＤｏｕｔはシステムコントローラ５０へ出力される。そして、１列目のデータラッチ４３は、データラッチ４３に保持されるデータを２列目のデータラッチ４３から１列ずつ列番号順に保持し、保持されたデータを列番号順にシステムコントローラ５０へ出力する。
【０１３４】
［ＥＬ装置１０の動作］
図８から１０を参照してＥＬ装置１０の動作の一例を説明する。図８は、画素行ごとに設定される書込期間での各制御信号の推移を示すタイミングチャートであって、前回までの書込期間、および、次回の書込期間での各制御信号の推移を示すタイミングチャートである。図９は、画素行ごとに設定される書込期間での各制御信号の推移を示すタイミングチャートであって、測定期間に先行して設定される今回の書込期間での各制御信号の推移を示すタイミングチャートである。図１０は、画素行ごとに設定される今回の書込期間、今回の発光期間、および、今回の測定期間の推移を示すタイミングチャートである。
【０１３５】
［書込期間Ｔｗｒｔ］
図８が示すように、システムコントローラ５０から第１選択ドライバ２０Ａ、第２選択ドライバ２０Ｂ、電源ドライバ３０、および、データドライバ４０の各々にスタートパルスＳＰが入力されて書込期間Ｔｗｒｔの設定が開始される。
【０１３６】
書込期間Ｔｗｒｔにおいて、測定用スイッチＳｗｍ、および、転送スイッチＳｗ３は、オフ状態を設定され続ける。また、出力スイッチＳｗ２は、ｊ列目のデータラッチ４３と、ｊ列目の変換器４４ａとを接続するＤＡＣ接続の状態を設定され続け、入力スイッチＳｗ１は、ｊ列目のデータラッチ４３とｊ列目のデータレジスタ４２とを接続するＤＲ接続の状態を設定され続ける。
【０１３７】
タイミングｔ１において、書込スイッチＳｗｄがオン状態に切り替えられて、シフトレジスタ４１、データレジスタ４２、データラッチ４３、変換器４４ａ、バッファ４５ａ、および、データ線Ｌｄが直列に接続される。次いで、システムコントローラ５０からデータスタートパルスＳＰｄがデータドライバ４０に入力されることによって、シフト信号がシフトレジスタ４１からデータレジスタ４２に入力されて、１行目の制御階調値Ｄｉｎがシステムコントローラ５０からデータレジスタ４２へ取り込まれる。
【０１３８】
タイミングｔ２では、１行目の第１選択線Ｌｓ１にハイレベルＨ１が設定され、また、１行目の第２選択線Ｌｓ２にハイレベルＨ２が設定され、さらに、１行目の電源線Ｌａに書込電圧ＷＤＶＳＳが設定されて、１行目の選択トランジスタＴ３と１行目の保持トランジスタＴ２とがオン状態に設定される。
【０１３９】
この際に、システムコントローラ５０からラッチパルスＬＰがデータドライバ４０に入力されることによって、ｎ列のデータラッチ４３に１行目の制御階調値Ｄｉｎが一斉に保持される。ｎ列のデータラッチ４３に保持された１行目の制御階調値Ｄｉｎは、ｎ列のレベルシフタ４６ａとｎ列の変換器４４ａとを通じてアナログ値に変換されて、ｎ列の駆動電圧ＶＤとしてデータ線Ｌｄに設定される。そして、１行目の駆動トランジスタＴ１のゲート‐ソース間電圧Ｖｇｓは、書込電圧ＷＤＶＳＳと駆動電圧ＶＤとの差に応じたレベルとして保持容量Ｃｓに保持される。これによって、１行目の各画素ＰＸにおける書込期間Ｔｗｒｔが終了する。
【０１４０】
なお、この間に、システムコントローラ５０からデータスタートパルスＳＰｄが再びデータドライバ４０へ出力されて、シフト信号がシフトレジスタ４１からデータレジスタ４２に入力される。これによって、２行目の制御階調値Ｄｉｎがシステムコントローラ５０からデータレジスタ４２へ取り込まれる。
【０１４１】
タイミングｔ３において、１行目の第１選択線Ｌｓ１にローレベルＬ１が設定され、また、１行目の第２選択線Ｌｓ２にローレベルＬ２が設定され、さらに、１行目の電源線Ｌａに発光電圧ＥＬＶＤＤが設定されて、１行目の選択トランジスタＴ３と１行目の保持トランジスタＴ２とがオフ状態に設定される。そして、１行目の駆動トランジスタＴ１は、１行目の保持容量Ｃｓに保持された電圧に応じたドレイン‐ソース間電流Ｉｄｓを、ＥＬ素子ＯＥＬに流す。これによって、１行目の画素ＰＸにおける発光期間Ｔｅｍが設定される。
【０１４２】
なお、この際に、２行目の第１選択線Ｌｓ１にハイレベルＨ２が設定され、また、２行目の第２選択線Ｌｓ２にハイレベルＨ２が設定され、さらに、２行目の電源線Ｌａに書込電圧ＷＤＶＳＳが設定されて、２行目の選択トランジスタＴ３と２行目の保持トランジスタＴ２とがオン状態に設定される。また、システムコントローラ５０からラッチパルスＬＰが再びデータドライバ４０へ出力されることによって、ｎ列のデータラッチ４３に２行目の制御階調値Ｄｉｎが保持される。ｎ列のデータラッチ４３に保持された２行目の制御階調値Ｄｉｎは、レベルシフタ４６ａと変換器４４ａとを通じてアナログ値に変換されて、変換後のアナログ値がｎ列の駆動電圧ＶＤとしてデータ線Ｌｄに設定される。そして、２行目の駆動トランジスタＴ１のゲート‐ソース間電圧Ｖｇｓは、書込電圧ＷＤＶＳＳと駆動電圧ＶＤとの差に応じた電圧として保持容量Ｃｓに保持される。
【０１４３】
以降、書込期間Ｔｗｒｔと発光期間Ｔｅｍとが１行ずつ行番号順に設定されて、これらの期間が１行目からｎ行目まで行われる。これによって、１つのフレームとして画像が表示される。そして、タイミングｔ４において、システムコントローラ５０からスタートパルスＳＰが出力されて、１行目の第２選択線Ｌｓ２にハイレベルＨ２が設定され、ＥＬ素子ＯＥＬが発光する状態において１行目の選択トランジスタＴ３がオン状態に設定される。これによって、１行目のＥＬ素子ＯＥＬのアノード電圧がデータ線Ｌｄに取り込まれる。
【０１４４】
［今回の書込期間Ｔｗｒｔ］
図９が示すように、システムコントローラ５０から第１選択ドライバ２０Ａ、第２選択ドライバ２０Ｂ、電源ドライバ３０、および、データドライバ４０の各々にスタートパルスＳＰが入力されて今回の書込期間Ｔｗｒｔの設定が開始される。
【０１４５】
今回の書込期間Ｔｗｒｔにおいて、書込スイッチＳｗｄ、測定用スイッチＳｗｍ、および、転送スイッチＳｗ３は、オフ状態を設定され続ける。また、出力スイッチＳｗ２は、ｊ列目のデータラッチ４３と、ｊ列目の変換器４４ａとを接続するＤＡＣ接続の状態を設定され続け、入力スイッチＳｗ１は、ｊ列目のデータラッチ４３とｊ列目のデータレジスタ４２とを接続するＤＲ接続の状態を設定され続ける。
【０１４６】
タイミングｔ１において、測定設定スイッチＳｗｓがオン状態に切り替えられて、データ線Ｌｄがアナログ電源７０に接続される。タイミングｔ２では、１行目の第１選択線Ｌｓ１にハイレベルＨ１が設定され、また、１行目の第２選択線Ｌｓ２にハイレベルＨ２が設定され、さらに、１行目の電源線Ｌａに書込電圧ＷＤＶＳＳが設定されて、１行目の選択トランジスタＴ３と１行目の保持トランジスタＴ２とがオン状態に設定される。そして、１行目の駆動トランジスタＴ１のゲート‐ソース間電圧Ｖｇｓは、書込電圧ＷＤＶＳＳと測定用駆動電圧ＶＭとの差に応じた電圧として保持容量Ｃｓに保持される。これによって、１行目の各画素ＰＸにおける書込期間Ｔｗｒｔが終了する。
【０１４７】
タイミングｔ３では、１行目の第１選択線Ｌｓ１にローレベルＬ１が設定され、また、１行目の第２選択線Ｌｓ２にローレベルＬ２が設定され、さらに、１行目の電源線Ｌａに発光電圧ＥＬＶＤＤが設定されて、１行目の選択トランジスタＴ３と１行目の保持トランジスタＴ２とがオフ状態に設定される。そして、１行目の駆動トランジスタＴ１は、１行目の保持容量Ｃｓに保持された電圧に応じたドレイン‐ソース間電流Ｉｄｓを、ＥＬ素子ＯＥＬに流す。これによって、１行目の画素ＰＸにおける発光期間Ｔｅｍが設定される。
【０１４８】
なお、この際に、２行目の第１選択線Ｌｓ１にハイレベルＨ２が設定され、また、２行目の第２選択線Ｌｓ２にハイレベルＨ２が設定され、さらに、２行目の電源線Ｌａに書込電圧ＷＤＶＳＳが設定されて、２行目の選択トランジスタＴ３と２行目の保持トランジスタＴ２とがオン状態に設定される。そして、２行目の駆動トランジスタＴ１のゲート‐ソース間電圧Ｖｇｓは、書込電圧ＷＤＶＳＳと測定用駆動電圧ＶＭとの差に応じた電圧として保持容量Ｃｓに保持される。
【０１４９】
以降、書込期間Ｔｗｒｔと発光期間Ｔｅｍとが１行ずつ行番号順に設定されて、これらの期間が１行目からｎ行目まで行われる。これによって、１つのフレームとして画像が表示される。そして、タイミングｔ４において、システムコントローラ５０からスタートパルスＳＰが出力されて、１行目の第２選択線Ｌｓ２にハイレベルＨ２が設定され、ＥＬ素子ＯＥＬが発光する状態において１行目の選択トランジスタＴ３がオン状態に設定される。これによって、１行目のＥＬ素子ＯＥＬのアノード電圧がデータ線Ｌｄに取り込まれる。
【０１５０】
［今回の発光期間Ｔｅｍ、および、測定期間Ｔｄｅｔ］
図１０が示すように、今回の発光期間Ｔｅｍにおけるタイミングｔ４において、１行目の第２選択線Ｌｓ２にハイレベルＨ２が設定され、１行目のＥＬ素子ＯＥＬのアノード電圧がデータ線Ｌｄに取り込まれる。
【０１５１】
タイミングｔ５において、システムコントローラ５０からスタートパルスＳＰが出力されて、１行目の第２選択線Ｌｓ２にローレベルＬ２が設定され、かつ、測定用スイッチＳｗｍがオフ状態からオン状態に切り替えられる。また、入力スイッチＳｗ１は、変換器４４ｂに接続されたＡＤＣ接続に設定され、出力スイッチＳｗ２は、データラッチ４３に接続されるＬＴ直列接続に設定される。これによって、今回の発光期間Ｔｅｍの設定に続いて測定期間の設定が開始されて、複数のデータ線Ｌｄの各々に取り込まれたアノード電圧はデジタル値に変換される。
【０１５２】
タイミングｔ６において、転送スイッチＳｗ３がオフ状態からオン状態に設定され、入力スイッチＳｗ１は、データラッチ４３に接続されたＬＴ直列接続に設定される。そして、１列目のデータラッチ４３に保持される１行１列目の測定データＤｏｕｔは、システムコントローラ５０へ出力される。また、１列目のデータラッチ４３は、データラッチ４３に保持されるデータを２列目のデータラッチ４３から１列ずつ列番号順に保持し、保持されたデータを列番号順にシステムコントローラ５０へ出力する。これによって、システムコントローラ５０は、１行目の画素行を構成する複数の画素ＰＸの各々に対して、アノード電圧の測定結果であるＤｏｕｔを取得する。
【０１５３】
タイミングｔ７において、システムコントローラ５０からスタートパルスＳＰが出力されて書込期間Ｔｗｒｔの設定が再び開始される。そして、書込期間Ｔｗｒｔと発光期間Ｔｅｍとが１行ずつ行番号順に設定されて、これらの期間が１行目からｎ行目まで行われる。そして、１行目からｎ行目までの各々に発光期間Ｔｅｍが設定されるごとに、測定期間の設定される画素行の行番号が２行目から順に増やされる。
【０１５４】
以上、第２実施形態によれば、以下に列挙する効果が得られる。
（１）ＥＬ素子ＯＥＬの特性値に関する情報を得るための設定が、第１選択線Ｌｓ１、および、第２選択線Ｌｓ２を通じて一度に行われる。それゆえに、ＥＬ素子ＯＥＬの特性値に関する情報を得るための設定に要する時間を短くすることが可能でもある。
【０１５５】
（２）ＥＬ素子ＯＥＬの特性値に関する情報の取得に際し、複数の画素行の各々に対しては、共通するデータ線Ｌｄが用いられる。結果として、複数の画素ＰＸの各々における上述した情報の取得に要する構成の簡素化が図られる。
【０１５６】
上記第２実施形態は、以下のように変更して実施することもできる。
・複数の画素行に対する書込期間Ｔｗｒｔの設定や、複数の画素行に対する発光期間Ｔｅｍの設定と同じく、測定期間Ｔｄｅｔは、複数の画素行に対して１つの画素行ずつ連続的に設定されてもよい。ＥＬ素子ＯＥＬのおかれる環境の温度は、測定期間Ｔｄｅｔが設定されるごとに異なることが少なくない。この点で、複数の画素行に対して１つの画素行ずつ連続的に測定期間Ｔｄｅｔが設定される構成であれば、１つの画素行に対する測定期間Ｔｄｅｔと、他の画素行に対する測定期間Ｔｄｅｔとの環境の差を抑えられる。特に、ＥＬ装置の表示する画像において画像内の輝度のむらや色のむらを抑えるうえでは、複数の画素行に対する測定期間Ｔｄｅｔがほぼまとめて設定されるこうした設定が好ましい。
【０１５７】
なお、複数の画素行に対する測定期間Ｔｄｅｔがほぼまとめて設定され、かつ、駆動電圧ＶＤとして測定用駆動電圧ＶＭが用いられるとき、単色画像などのように測定に特化した画像が視認されやすくなる。一方で、ＥＬ装置の始動時やＥＬ装置の出荷時には、入力信号ＳＩＧの示す画像とは異なる画像の表示が許容されやすい。それゆえに、上述した機会における測定であれば、測定期間の設定に特化した画像の表示も許容されやすい。
【０１５８】
［電源線］
・電源線Ｌａに設定される電圧レベルは、複数の画素行に対して共通していてもよい。例えば、図１１が示すように、ＥＬパネル２１は、上下方向において上側の半分に位置する複数の画素ＰＸからなる上側画素群と、上下方向において下側の半分に位置する複数の画素ＰＸからなる下側画素群とに分けられている。上側画素群を構成する複数の画素ＰＸにおいて、１行分の画素ＰＸは１つの電源線Ｌａに接続し、上側画素群を構成する複数の画素ＰＸに接続する複数の電源線Ｌａは、電源ドライバ３０に共通接続している。また、下側画素群を構成する複数の画素ＰＸにおいて、１行分の画素ＰＸは１つの電源線Ｌａに接続し、下側画素群を構成する複数の画素ＰＸに接続する複数の電源線Ｌａは、電源ドライバ３０に共通接続している。
この際に、書込期間と発光期間との間に、書込期間の終了状態が継続されて保持容量が電圧を保持し続けるための保持期間Ｔｈｌｄが設定されてもよい。
【０１５９】
例えば、図１２が示すように、１行目の画素ＰＸから６行目まで画素ＰＸは、書込期間Ｔｗｒｔごとに、１行目の画素ＰＸから順次書込動作を開始し、書込期間Ｔｗｒｔの設定を終了した画素ＰＸから順次保持期間Ｔｈｌｄの設定を開始する。そして、７行目の画素ＰＸが書込期間Ｔｗｒｔの設定を終了したとき、上側画素群の全ての画素ＰＸは、一斉に発光期間Ｔｅｍの設定を開始する。
【０１６０】
また、６行目の画素ＰＸが書込期間Ｔｗｒｔの設定を終了したとき、７行目の画素ＰＸから１２行目まで画素ＰＸは、書込期間Ｔｗｒｔごとに、７行目の画素ＰＸから順次書込動作を開始し、書込期間Ｔｗｒｔを終了した画素ＰＸから順次保持期間Ｔｈｌｄの設定を開始する。この際に、８行目から１２行目までの画素ＰＸは、上側画素群の画素ＰＸが発光期間Ｔｅｍを開始してから自身の書込期間Ｔｗｒｔを開始するまでの間、書込電圧ＷＤＶＳＳの設定による非発光動作を実行する。そして、１２行目の画素ＰＸが書込期間Ｔｗｒｔの設定を終了したとき、下側画素群の全ての画素ＰＸは、一斉に発光期間Ｔｅｍの設定を開始する。
【０１６１】
また、１２行目の画素ＰＸが書込期間Ｔｗｒｔを終了したとき、１行目の画素ＰＸから６行目まで画素ＰＸは、一斉に発光期間Ｔｅｍを終了し、再び、書込期間Ｔｗｒｔごとの書込動作を順次実行し、書込期間Ｔｗｒｔの設定を終了した画素ＰＸから順次保持動作を開始する。この際に、２行目から７行目までの画素ＰＸは、下側画素群の画素ＰＸが発光動作を開始してから自身の書込動作を開始するまでの間、書込電圧ＷＤＶＳＳの設定による非発光動作を実行する。
【０１６２】
上述した変形例の構成においては、複数の画素行に対して別々に書込期間Ｔｗｒｔが設定され、複数の画素行に対して同時に発光期間Ｔｅｍが設定される。こうした構成においては、複数の画素行に対して同時に設定される今回の発光期間Ｔｅｍと、複数の画素行に対して別々に設定される次回の書込期間Ｔｗｒｔとの間に、少なくとも１つの画素行に対して測定期間Ｔｄｅｔが設定される。
【０１６３】
・データドライバ４０の有する測定部としての機能は、例えば、システムコントローラ５０からデータドライバ４０に入力されるクロックをカウントするアップカウンタと、アップカウンタのカウント値とデータ線Ｌｄの電圧との逐次比較によってアノード電圧をデジタル値に変換する変換器とに具体化されてもよい。
【符号の説明】
【０１６４】
ＯＥＬ…ＥＬ素子、Ｔ１…駆動トランジスタ、Ｔ２…保持トランジスタ、Ｔ３…選択トランジスタ、Ｃｓ…保持容量、Ｌａ…電源線、Ｌｄ…データ線、Ｌｓ１…第１選択線、Ｌｓ２…第２選択線、ＰＸ…画素、Ｓｗｍ…測定用スイッチ、Ｔｅｍ…発光期間、Ｔｄｅｔ…測定期間、１０，２０…ＥＬ装置、１１，２１…ＥＬパネル、１２…制御部、１２Ｍ１…測定部、１２Ｍ２…記憶部、１３…駆動部、２０Ａ…第１選択ドライバ、２０Ｂ…第２選択ドライバ、３０…電源ドライバ、４０…データドライバ、５０…システムコントローラ。
【図１】
2016021006.tif 000003
【図２】
2016021006.tif 000004
【図３】
2016021006.tif 000005
【図４】
2016021006.tif 000006
【図５】
2016021006.tif 000007
【図６】
2016021006.tif 000008
【図７】
2016021006.tif 000009
【図８】
2016021006.tif 000010
【図９】
2016021006.tif 000011
【図１０】
2016021006.tif 000012
【図１１】
2016021006.tif 000013
【図１２】
2016021006.tif 000014